(57)【要約】  本願はデータの送受信方法及び関連製品を開示し、通信システムに応用され、前記通信システムはユーザー機器グループを含み、前記ユーザー機器グループが複数のユーザー機器を含み、方法は、前記ユーザー機器が指定されたリソース関連情報に従ってデータの送受信を行い、前記指定されたリソース関連情報に複数の指定された時間および／または複数の指定されたリソースが含まれるステップを含む。本願の実施例を使用して、グループ内のＵＥがリソースを占有する際の衝突確率を低下し及びリソーススケジューリングのシグナリングオーバーヘッドを削減することができる。
2020519183.tif 000002
【特許請求の範囲】
【請求項１】
データの送受信方法であって、通信システムに応用され、前記通信システムはユーザー機器グループを含み、前記ユーザー機器グループが複数のユーザー機器を含み、
前記ユーザー機器は指定されたリソース関連情報に従ってデータの送受信を行い、前記指定されたリソース関連情報に複数の指定された時間および／または複数の指定されたリソースが含まれるステップを含むことを特徴とするデータの送受信方法。
【請求項２】
前記複数のユーザー機器が複数の第１ユーザー機器および／または第２ユーザー機器を含み、前記第２ユーザー機器は前記ユーザー機器グループのグループヘッド機器であり、前記第２ユーザー機器が第１ユーザー機器と異なり、或いは、前記第２ユーザー機器が前記複数の第１ユーザー機器の中の１つであることを特徴とする請求項１に記載の方法。
【請求項３】
各第１ユーザー機器は１つの指定されたリソース関連情報に対応し、前記複数の第１ユーザー機器の中で予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中で予め設定された条件を満たさない少なくとも２つの第１ユーザー機器が存在する場合に、前記少なくとも２つの第１ユーザー機器に対応した指定されたリソース関連情報が異なることを特徴とする請求項２に記載の方法。
【請求項４】
前記通信システムはネットワーク機器を更に含み、前記第１ユーザー機器の指定されたリソース関連情報は前記第２ユーザー機器により設定され、或いは、前記第１ユーザー機器の指定されたリソース関連情報は前記ネットワーク機器により設定され、或いは、前記第１ユーザー機器の指定されたリソース関連情報は前記第１ユーザー機器により前記第１ユーザー機器のＩＤに従って確定されることを特徴とする請求項２または３のいずれかに記載の方法。
【請求項５】
前記指定されたリソース関連情報は指定された送信電力を更に含むことを特徴とする請求項１−４のいずれかに記載の方法。
【請求項６】
前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものであることを特徴とする請求項４または５に記載の方法。
【請求項７】
前記第２ユーザー機器の指定されたリソース関連情報は前記ネットワーク機器により設定され、或いは、前記第２ユーザー機器の指定されたリソース関連情報は前記第２ユーザー機器により前記第２ユーザー機器のＩＤに従って確定されるものであることを特徴とする請求項２−６のいずれかに記載の方法。
【請求項８】
前記第１ユーザー機器の指定されたリソース関連情報は前記第２ユーザー機器により設定される場合に、前記第２ユーザー機器が使用する指定されたリソース関連情報は前記ネットワーク機器により設定されることを特徴とする請求項４−６のいずれかに記載の方法。
【請求項９】
前記複数の指定された時間における任意の２つの隣接する指定された時間の間隔が同様であり、各指定された時間に対応した複数の指定されたリソースが同様であることを特徴とする請求項１または２に記載の方法。
【請求項１０】
ユーザー機器であって、通信システムに応用され、前記通信システムはユーザー機器グループを含み、前記ユーザー機器グループが複数のユーザー機器を含み、前記ユーザー機器が処理ユニットと通信ユニットを含み、
前記通信ユニットは、指定されたリソース関連情報に従って前記通信ユニットによってデータの送受信を行うことに用いられ、前記指定されたリソース関連情報に複数の指定された時間および／または複数の指定されたリソースが含まれることを特徴とするユーザー機器。
【請求項１１】
ユーザー機器であって、通信システムに応用され、前記通信システムはユーザー機器グループを含み、前記ユーザー機器グループが複数のユーザー機器を含み、前記ユーザー機器が処理ユニットと通信ユニットを含み、前記ユーザー機器は１つまたは複数のプロセッサー、１つまたは複数のメモリ、１つまたは複数のトランシーバー、及び１つまたは複数のプログラムを含み、前記１つまたは複数のプログラムが前記メモリに記憶され、且つ前記１つまたは複数のプロセッサーにより実行するように設定され、前記プログラムが以下のステップを実行するための命令を含み、
指定されたリソース関連情報に従ってデータの送受信を行い、前記指定されたリソース関連情報に複数の指定された時間および／または複数の指定されたリソースが含まれることを特徴とするユーザー機器。
【請求項１２】
前記複数のユーザー機器が複数の第１ユーザー機器および／または第２ユーザー機器を含み、前記第２ユーザー機器は前記ユーザー機器グループのグループヘッド機器であり、前記第２ユーザー機器が第１ユーザー機器と異なり、或いは、前記第２ユーザー機器が前記複数の第１ユーザー機器の中の１つであることを特徴とする請求項１１に記載のユーザー機器。
【請求項１３】
各第１ユーザー機器は１つの指定されたリソース関連情報に対応し、前記複数の第１ユーザー機器の中で予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中で予め設定された条件を満たさない少なくとも２つの第１ユーザー機器が存在する場合に、前記少なくとも２つの第１ユーザー機器に対応した指定されたリソース関連情報が異なることを特徴とする請求項１１または１２に記載のユーザー機器。
【請求項１４】
前記通信システムはネットワーク機器を更に含み、前記第１ユーザー機器の指定されたリソース関連情報は前記第２ユーザー機器により設定され、或いは、前記第１ユーザー機器の指定されたリソース関連情報は前記ネットワーク機器により設定され、或いは、前記第１ユーザー機器の指定されたリソース関連情報は前記第１ユーザー機器により前記第１ユーザー機器のＩＤに従って確定されることを特徴とする請求項１２または１３に記載のユーザー機器。
【請求項１５】
前記指定されたリソース関連情報は指定された送信電力を更に含むことを特徴とする請求項１１−１４のいずれかに記載のユーザー機器。
【請求項１６】
前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものであることを特徴とする請求項１４または１５に記載のユーザー機器。
【請求項１７】
前記第２ユーザー機器の指定されたリソース関連情報は前記ネットワーク機器により設定され、或いは、前記第２ユーザー機器の指定されたリソース関連情報は前記第２ユーザー機器により前記第２ユーザー機器のＩＤに従って確定されたものであることを特徴とする請求項１２−１６のいずれかに記載のユーザー機器。
【請求項１８】
前記第１ユーザー機器の指定されたリソース関連情報は前記第２ユーザー機器により設定される場合に、前記第２ユーザー機器が使用する指定されたリソース関連情報は前記ネットワーク機器により設定されることを特徴とする請求項１４−１６のいずれかに記載のユーザー機器。
【請求項１９】
前記複数の指定された時間における任意の２つの隣接する指定された時間の間隔が同様であり、各指定された時間に対応した複数の指定されたリソースが同様であることを特徴とする請求項１１または１２に記載のユーザー機器。
【請求項２０】
コンピュータ読み取り可能な記憶媒体であって、電子データ交換を行うためのコンピュータプログラムを記憶し、前記コンピュータプログラムによってコンピュータに請求項１−９のいずれかに記載の方法を実行させることを特徴とするコンピュータ読み取り可能な記憶媒体。
【請求項２１】
コンピュータプログラム製品であって、前記コンピュータプログラム製品はコンピュータプログラムを記憶した非一時的なコンピュータ読み取り可能な記憶媒体を含み、前記コンピュータプログラムはコンピュータに請求項１−９のいずれかに記載の方法を実行させるように操作されることができることを特徴とするコンピュータプログラム製品。
【発明の詳細な説明】
【技術分野】
【０００１】
本願は通信技術分野に関し、特にデータの送受信方法及び関連製品に関する。
【背景技術】
【０００２】
ユーザー機器（Ｕｓｅｒ  Ｅｑｕｉｐｍｅｎｔ、ＵＥ）間に直接に通信するシナリオにおいて、ＵＥ間に距離が近く、運動軌跡が同様であり、或いはＵＥ間に相互信頼の接続関係が存在する等のため、便利な通信または便利な管理のために、これらのＵＥを１つのグループに形成する。例えば、カーネットワーキングにおける運転車列は、異なる車間に関連関係、例えば車が固定間隔、固定移動速度、固定軌跡で進む等が存在する可能性があり、これらの車を１つのグループに形成する。また例えば、ウェアラブルデバイスシナリオにおけるデバイスグループである。このデバイスグループに１つまたは複数のリレーＵＥ（Ｒｅｌａｙ  ＵＥ）と１つまたは複数の関連または接続関係を有するリモートＵＥ（Ｒｅｍｏｔｅ  ＵＥ）が含まれる。このデバイスグループにおけるデバイスは相互信頼関係を有し、動き軌跡、動き速度はほぼ同じである。
【０００３】
グループの形で存在しているＵＥグループに対して、ＵＥはデータを送受信する場合に、リソース占有の衝突問題、及びリソーススケジューリングシグナリングのオーバーヘッド問題が存在する可能性があるため、如何にグループ内のＵＥがリソースを占有する際の衝突確率を低下し及びリソーススケジューリングのシグナリングオーバーヘッドを削減するかは解決する必要がある技術問題である。
【発明の概要】
【発明が解決しようとする課題】
【０００４】
本願の実施例はデータの送受信方法及び関連製品を提供し、グループ内のＵＥがリソースを占有する際の衝突確率を低下し及びリソーススケジューリングのシグナリングオーバーヘッドを削減することに用いられる。
【課題を解決するための手段】
【０００５】
第１態様によれば、本願の実施例はデータの送受信方法を提供し、通信システムに応用され、前記通信システムはユーザー機器グループを含み、前記ユーザー機器グループが複数の第１ユーザー機器を含み、
前記ユーザー機器は指定されたリソース関連情報に従ってデータの送受信を行い、前記指定されたリソース関連情報に複数の指定された時間および／または複数の指定されたリソースが含まれるステップを含む。
【０００６】
第２態様によれば、本願の実施例はユーザー機器を提供し、通信システムに応用され、前記通信システムはユーザー機器グループを含み、前記ユーザー機器グループが複数の第１ユーザー機器を含み、前記ユーザー機器が処理ユニットと通信ユニットを含み、
前記通信ユニットは、指定されたリソース関連情報に従って前記通信ユニットによってデータの送受信を行うことに用いられ、前記指定されたリソース関連情報に複数の指定された時間および／または複数の指定されたリソースが含まれる。
【０００７】
第３態様によれば、本願の実施例はユーザー機器を提供し、１つまたは複数のプロセッサー、１つまたは複数のメモリ、１つまたは複数のトランシーバー、及び１つまたは複数のプログラムを含み、前記１つまたは複数のプログラムが前記メモリに記憶され、且つ前記１つまたは複数のプロセッサーにより実行するように設定され、前記プログラムは第１態様に記載の方法におけるステップを実行するための命令を含む。
【０００８】
第４態様によれば、本願の実施例はコンピュータ読み取り可能な記憶媒体を提供し、電子データ交換を行うためのコンピュータプログラムを記憶し、前記コンピュータプログラムはコンピュータに第１態様に記載の方法を実行させる。
【０００９】
第５態様によれば、本願の実施例はコンピュータプログラム製品を提供し、前記コンピュータプログラム製品はコンピュータプログラムを記憶した非一時的なコンピュータ読み取り可能な記憶媒体を含み、前記コンピュータプログラムはコンピュータが第１態様に記載の方法を実行するように操作されることができる。
【発明の効果】
【００１０】
これから見ると、本手段において、ユーザー機器は、毎回データを送受信する前にリソーススケジューリングを実行する必要がないため、リソーススケジューリングのシグナリングオーバーヘッドが削減され、また、各ユーザー機器のデータ送受信は、指定されたリソース関連情報を使用して実行されるため、グループ内のＵＥがリソースを占有している場合の衝突確率を低下させる。
【００１１】
本願のこれらの態様またはその他の態様は以下の実施例の説明ではより簡潔で理解しやすくなる。
【図面の簡単な説明】
【００１２】
本願の実施例又は従来技術の技術的解決手段をより明確に説明ために、以下、実施例又は従来技術の説明で用いられる図面について簡単に説明する。明らかに、以下の説明における図面は、本願のいくつかの実施例であり、当業者であれば、創造的な労働をせずに、これらの図面から他の図面を得ることができる。
【図１】本願の実施例によるネットワークアーキテクチャの模式図である。
【図２ａ】本願の実施例によるデータの送受信方法の概略的なフローチャートである。
【図２ｂ】本願の実施例による複数の指定された時間の模式図である。
【図２ｃ】本願の実施例による各指定された時間と複数の指定されたリソースの模式図である。
【図２ｄ】本願の実施例による複数の第１ユーザー機器に対応した指定されたリソース関連情報の模式図である。
【図２ｅ】本願の実施例による他の複数の第１ユーザー機器に対応した指定されたリソース関連情報の模式図である。
【図２ｆ】本願の実施例による他の複数の第１ユーザー機器に対応した指定されたリソース関連情報の模式図である。
【図３】本願の実施例によるユーザー機器の構造の模式図である。
【図４】本願の実施例による他のユーザー機器の構造の模式図である。
【図５】本願の実施例による他のユーザー機器の構造の模式図である。
【発明を実施するための形態】
【００１３】
当業者に本願の技術的解決手段をよりよく理解させるために、以下、本願の実施例における添付の図面を参照しながら、本願の実施例における技術的解決手段を明確かつ完全に説明し、記載された実施例は本願の実施例の一部にすぎず、実施例の全てではないことは明らかである。本願の実施例に基づいて、創造的な労働をせずに、当業者が取得した他の全ての実施例は、いずれも本願の保護範囲に属する。
【００１４】
以下でそれぞれ詳しく説明する。
【００１５】
本願の明細書、請求項の範囲及び前記図面における用語「第１」、「第２」、「第３」及び「第４」等は特定の順序を記述するためではなく、異なるオブジェクトを区別するために使用される。なお、用語「含む」、「有する」及びそれらの任意の変形は、非排他性的な包含を含むと意味する。例えば、一連のステップまたはユニットを含む過程、方法、システム、製品または機器はリストされたステップまたはユニットに制限されなく、選択可能に、リストされないステップまたはユニットを更に含んでよく、または選択可能にこれらの過程、方法、製品または機器に固有したその他のステップまたはユニットを更に含んでよい。
【００１６】
本文に言及した「実施例」は、実施例を組み合わせて説明した特定の特徴、構造または特性が本願の少なくとも１つの実施例に含まれることができることを意味する。明細書におけるそれぞれの場所でのフレーズの出現は、必ずしも同じ実施例を意味するわけではなく、その他の実施例と相互に排他的な独立したまたは代替的な実施例でもない。当業者は、本文に記載の実施例をその他の実施例と組み合わせることができることを明示的および暗黙的に理解する。
【００１７】
以下、図面を組み合わせて本願の実施例を説明する。
【００１８】
図１を参照して、図１は本願の実施例が開示したネットワークアーキテクチャの模式図である。図１に示すようなネットワークアーキテクチャはネットワーク機器１１０とユーザー機器グループ１２０を含み、前記ユーザー機器グループが複数のユーザー機器を含み、複数のユーザー機器に複数の通常の機器（通常の機器は即ち第１ユーザー機器である）とグループヘッド機器（グループヘッド機器は即ち第２ユーザー機器である）が含まれる。ユーザー機器グループ１２０の中の１つの通常の機器ｉはユーザー機器グループ１２０の中の通常の機器ｉ以外の通常の機器と通信することができ、或いはユーザー機器グループ１２０の中の１つの通常の機器ｉはユーザー機器グループ１２０の中のグループヘッド機器と通信することができ、通常の機器ｉが複数の通常の機器の中の１つである。ユーザー機器グループ１２０の中のグループヘッド機器はユーザー機器グループ１２０の中の通常の機器と通信することができ、或いは、ユーザー機器グループ１２０の中のグループヘッド機器はネットワーク機器１１０と通信することができる。
【００１９】
説明する必要があるのは、仮にユーザー機器グループ１２０は５つのユーザー機器を含み、この５つのユーザー機器は、ユーザー機器１、ユーザー機器２、ユーザー機器３、ユーザー機器４及びユーザー機器５であり、第１時間でユーザー機器グループ１２０は４つの第１ユーザー機器（例えばユーザー機器１、ユーザー機器２、ユーザー機器３、ユーザー機器４）と１つの第２ユーザー機器（例えばユーザー機器５）を含み、第２時間でユーザー機器グループ１２０は４つの第１ユーザー機器（例えばユーザー機器２、ユーザー機器３、ユーザー機器４、ユーザー機器５）と１つの第２ユーザー機器（例えばユーザー機器１）を含み、第３時間でユーザー機器グループ１２０は４つの第１ユーザー機器（例えばユーザー機器１、ユーザー機器２、ユーザー機器３、ユーザー機器４）と１つの第２ユーザー機器（例えばユーザー機器５）を含む。これから見ると、異なる時間で、ユーザー機器グループ１２０におけるグループヘッド機器は同様であってもよいし、異なってもよく、本願は制限しない。また、時間Ｉでユーザー機器ｉは第１ユーザー機器であり、次に、他の時間Ｊでユーザー機器ｉは第２ユーザー機器であり、ユーザー機器ｉはユーザー機器グループ１２０の中の１つのユーザー機器である可能性がある。
【００２０】
ユーザー機器グループ１２０における各ユーザー機器は全て１つの指定されたリソース関連情報に対応し、ユーザー機器グループ１２０に含まれたユーザー機器は全て対応的に指定されたリソース関連情報に従ってデータの送受信を行い、前記指定されたリソース関連情報に複数の指定された時間および／または複数の指定されたリソースが含まれる。
【００２１】
これから見ると、本手段において、ユーザー機器グループ１２０におけるユーザー機器は、毎回データを送受信する前にリソーススケジューリングを実行する必要がないため、リソーススケジューリングのシグナリングオーバーヘッドが削減され、また、ユーザー機器グループ１２０における各ユーザー機器はデータの送受信を行うのは全て対応したリソース関連情報に従って行うため、グループ内のＵＥがリソースを占有する際の衝突確率を低下させる。
【００２２】
ユーザー機器（Ｕｓｅｒ  Ｅｑｕｉｐｍｅｎｔ、ＵＥ）は、ユーザーに音声および／またはデータ接続性を提供する機器であり、例えば、無線接続機能を有するハンドヘルド機器、車載機器等である。よく見られるユーザー機器は例えば、携帯電話、タブレット、ラップトップ、ハンドヘルドコンピュータ、モバイルインターネットデバイス（ｍｏｂｉｌｅ  ｉｎｔｅｒｎｅｔ  ｄｅｖｉｃｅ、ＭＩＤ）、例えばスマートウォッチ、スマートブレスレット、歩数計等のウェアラブルデバイスを含む。
【００２３】
ネットワーク機器とは、ネットワーク側のノード機器を指し、例えば、ネットワーク機器はセルラーネットワークにおけるアクセスネットワーク側の無線アクセスネットワーク（Ｒａｄｉｏ  Ａｃｃｅｓｓ  Ｎｅｔｗｏｒｋ、ＲＡＮ）機器であってよく、所謂ＲＡＮ機器はユーザー機器を無線ネットワークにアクセスする機器であり、進化したノードＢ（ｅｖｏｌｖｅｄ  Ｎｏｄｅ  Ｂ、ｅＮＢ）、無線ネットワークコントローラー（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局コントローラー（Ｂａｓｅ  Ｓｔａｔｉｏｎ  Ｃｏｎｔｒｏｌｌｅｒ、ＢＳＣ）、基地局トランシーバーステーション（Ｂａｓｅ  Ｔｒａｎｓｃｅｉｖｅｒ  Ｓｔａｔｉｏｎ，  ＢＴＳ）、ホーム基地局（例えば、Ｈｏｍｅ  ｅｖｏｌｖｅｄ  ＮｏｄｅＢ、またはＨｏｍｅ  Ｎｏｄｅ  Ｂ、ＨＮＢ）、ベースバンドユニット（ＢａｓｅＢａｎｄ  Ｕｎｉｔ、ＢＢＵ）を含むが、これらに制限されなく、また例えば、ネットワーク機器はワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）におけるノード機器、例えばアクセスコントローラー（ａｃｃｅｓｓ  ｃｏｎｔｒｏｌｌｅｒ、ＡＣ）、ゲートウェイ、またはＷＩＦＩアクセスポイント（Ａｃｃｅｓｓ  Ｐｏｉｎｔ、ＡＰ）等であってよい。
【００２４】
以下、図１に示すようなネットワークアーキテクチャを組み合わせて本願の実施例によるデータの送受信方法を詳細的に説明する。
【００２５】
図２ａを参照して、図２ａは本願の実施例によるデータの送受信方法の概略的なフローチャートであり、以下のステップを含み、
Ｓ２０１、ユーザー機器グループにおけるユーザー機器は指定されたリソース関連情報に従ってデータの送受信を行い、前記指定されたリソース関連情報に複数の指定された時間および／または複数の指定されたリソースが含まれる。
【００２６】
ユーザー機器グループにおける各ユーザー機器は１つの指定されたリソース関連情報に対応する。例えば、ユーザー機器グループにＮ個のユーザー機器が含まれ、Ｎ個のユーザー機器はＮ個の指定されたリソース関連情報に対応し、Ｎ個のユーザー機器がＮ個の指定されたリソース関連情報に一々対応し、Ｎは１より大きい整数である。
【００２７】
一例において、前記指定されたリソース関連情報に含まれた前記複数の指定された時間における任意の２つの隣接する指定された時間の間隔が同様であり、各指定された時間に対応した複数の指定されたリソースが同様である。
【００２８】
例えば、図２ｂに示すように、図２ｂは本願の実施例による複数の指定された時間の模式図である。仮に複数の指定された時間はＭ個の指定された時間を有し、このＭ個の指定された時間は時間順序に従って、指定された時間１、指定された時間２……指定された時間Ｍ−１及び指定された時間Ｍが配列される。このＭ個の指定された時間における任意の２つの隣接する指定された時間の間隔はｄと等しいことができる。つまり、このＭ個の指定された時間は周期的なものであり、例えば１００ｍｓごとに１つの指定された時間を有する。
【００２９】
また例えば、図２ｃに示すように、図２ｃは本願の実施例による各指定された時間と複数の指定されたリソースの模式図である。仮に複数の指定されたリソースはＫ個の指定されたリソースを有し、Ｍ個の指定された時間における各指定された時間に対応したＫ個の指定されたリソースは同様であってよく、Ｋは１より大きい整数である。
【００３０】
勿論、前記複数の指定された時間における任意の２つの隣接する指定された時間の間隔は異なってもよく、各指定された時間に対応した複数の指定されたリソースも異なってもよく、本願は制限しない。
【００３１】
例えば、仮にユーザー機器グループは５つのユーザー機器を含み、この５つのユーザー機器は、ユーザー機器１、ユーザー機器２、ユーザー機器３、ユーザー機器４及びユーザー機器５であり、ユーザー機器１は指定されたリソース関連情報１に対応し、ユーザー機器２は指定されたリソース関連情報２に対応し、ユーザー機器３は指定されたリソース関連情報３に対応し、ユーザー機器４は指定されたリソース関連情報４に対応し、ユーザー機器５は指定されたリソース関連情報５に対応する。ユーザー機器グループは４つの第１ユーザー機器（例えばユーザー機器１、ユーザー機器２、ユーザー機器３、ユーザー機器４）と１つの第２ユーザー機器（例えばユーザー機器５）を含む。ユーザー機器グループにおけるユーザー機器ｉは対応した指定されたリソース関連情報に従ってデータの送受信を行い、ユーザー機器ｉはこの５つのユーザー機器の中の１つである。
【００３２】
これから見ると、本手段において、ユーザー機器グループ１２０におけるユーザー機器は、毎回データを送受信する前にリソーススケジューリングを実行する必要がないため、リソーススケジューリングのシグナリングオーバーヘッドが削減され、また、ユーザー機器グループにおける各ユーザー機器はデータの送受信を行うのは全て対応したリソース関連情報に従って行うため、グループ内のＵＥがリソースを占有する際の衝突確率を低下させる。
【００３３】
一例において、各第１ユーザー機器は１つの指定されたリソース関連情報に対応し、前記複数の第１ユーザー機器の中に予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中に予め設定された条件を満たさない少なくとも２つの第１ユーザー機器が存在する場合に、前記少なくとも２つの第１ユーザー機器に対応した指定されたリソース関連情報が異なる。
【００３４】
更に、前記予め設定された条件は前記少なくとも２つの第１ユーザー機器の中の任意の２つの第１ユーザー機器の間の距離が第１予め設定された閾値より大きいまたは等しいことである。
【００３５】
例えば、図２ｄに示すように、図２ｄは本願の実施例による複数の第１ユーザー機器に対応した指定されたリソース関連情報の模式図である。図２ｄに示すように、仮に複数の第１ユーザー機器は３つの第１ユーザー機器であり、この３つの第１ユーザー機器は、第１ユーザー機器１、第１ユーザー機器２及び第１ユーザー機器３である。第１ユーザー機器１と第１ユーザー機器２との間の距離はａであり、第１ユーザー機器２と第１ユーザー機器３との間の距離はｂであり、第１ユーザー機器１と第１ユーザー機器３との間の距離はｃであり、仮にａは第１予め設定された閾値より大きく、ｂは第１予め設定された閾値より小さく、ｃは第１予め設定された閾値より小さい。この場合、第１ユーザー機器１と第１ユーザー機器２は対応した指定されたリソース関連情報が同様であり（例えば指定されたリソース関連情報１）、第１ユーザー機器２と第１ユーザー機器３に対応した指定されたリソース関連情報が異なり、第１ユーザー機器１と第１ユーザー機器３に対応した指定されたリソース関連情報が異なり、第１ユーザー機器３の指定されたリソース関連情報は指定されたリソース関連情報２であってよく、指定されたリソース関連情報１と指定されたリソース関連情報２は異なる。
【００３６】
更に、前記予め設定された条件は前記少なくとも２つの第１ユーザー機器の中の任意の２つの第１ユーザー機器の間の信号強度が第２予め設定された閾値より小さい又は等しいことである。
【００３７】
例えば、図２ｅに示すように、図２ｅは本願の実施例による他の複数の第１ユーザー機器に対応した指定されたリソース関連情報の模式図である。図２ｅに示すように、仮に複数の第１ユーザー機器は３つの第１ユーザー機器であり、この３つの第１ユーザー機器は、第１ユーザー機器１、第１ユーザー機器２及び第１ユーザー機器３である。第１ユーザー機器１と第１ユーザー機器２との間の信号強度はＡであり、第１ユーザー機器２と第１ユーザー機器３との間の信号強度はＢであり、第１ユーザー機器１と第１ユーザー機器３との間の信号強度はＣであり、仮にＡは第２予め設定された閾値より小さく、Ｂは第２予め設定された閾値より大きく、Ｃは第２予め設定された閾値より大きい。この場合、第１ユーザー機器１と第１ユーザー機器２に対応した指定されたリソース関連情報が同様であり、例えばいずれも指定されたリソース関連情報１であり、第１ユーザー機器２と第１ユーザー機器３に対応した指定されたリソース関連情報が異なり、第１ユーザー機器１と第１ユーザー機器３に対応した指定されたリソース関連情報が異なり、第１ユーザー機器３の指定されたリソース関連情報は指定されたリソース関連情報２であってよく、指定されたリソース関連情報１と指定されたリソース関連情報２は異なる。
【００３８】
更に、前記予め設定された条件は前記少なくとも２つの第１ユーザー機器の中の任意の２つの第１ユーザー機器が同じ地理的エリアに位置しないか否かである。
【００３９】
例えば、図２ｆに示すように、図２ｆは本願の実施例による他の複数の第１ユーザー機器に対応した指定されたリソース関連情報の模式図である。図２ｆに示すように、仮に複数の第１ユーザー機器は３つの第１ユーザー機器であり、この３つの第１ユーザー機器は、第１ユーザー機器１、第１ユーザー機器２及び第１ユーザー機器３である。第１ユーザー機器１と第１ユーザー機器２は同じ地理的エリア（図２ｆに示すような地理的エリアＡ）に位置し、第１ユーザー機器３は地理的エリアＢに位置すると、第１ユーザー機器１と第１ユーザー機器２に対応した指定されたリソース関連情報が同様であり（図２ｆに示すような指定されたリソース関連情報１）、第１ユーザー機器２と第１ユーザー機器３に対応した指定されたリソース関連情報が異なり、第１ユーザー機器１と第１ユーザー機器３に対応した指定されたリソース関連情報が異なり、第１ユーザー機器３の指定されたリソース関連情報は指定されたリソース関連情報２であってよく、指定されたリソース関連情報１と指定されたリソース関連情報２は異なる。地理的エリアＡと地理的エリアＢは地理的位置に従って事前に分割され、ネットワーク機器により分割されてもよいし、第２ユーザー機器により分割されてもよく、本願は制限しない。
【００４０】
説明する必要があるのは、第１ユーザー機器ｉと第１ユーザー機器ｊに対応した指定されたリソース関連情報が同様であることに指定されたのは第１ユーザー機器ｉに対応した複数の指定された時間が第１ユーザー機器ｊに対応した複数の指定された時間と同様であり、および／または第１ユーザー機器ｉに対応した複数の指定されたリソースが第１ユーザー機器ｊに対応した複数の指定されたリソースと同様であることである。第１ユーザー機器ｉと第１ユーザー機器ｊに対応した指定されたリソース関連情報は異なることに指定されたのは第１ユーザー機器ｉに対応した複数の指定された時間が第１ユーザー機器ｊに対応した複数の指定された時間と異なり、および／または第１ユーザー機器ｉに対応した複数の指定されたリソースが第１ユーザー機器ｊに対応した複数の指定されたリソースと異なることである。
【００４１】
一例において、前記第１ユーザー機器の指定されたリソース関連情報は前記第２ユーザー機器により設定された。具体的に、第２ユーザー機器はネットワーク機器が第２ユーザー機器のために割り当てたリソース状況に応じてユーザー機器グループ内の各第１ユーザー機器のそれぞれのために指定されたリソース関連情報を設定する。例えば、ユーザー機器グループ内に３つの第１ユーザー機器が含まれ、第２ユーザー機器は第１ユーザー機器１のために指定されたリソースＰＲＢ１を割り当て、複数の指定された時間の周期が１００ｍｓであり、第２ユーザー機器は第１ユーザー機器２のために指定されたリソースＰＲＢ２を割り当て、複数の指定された時間の周期は１００ｍｓであり、第２ユーザー機器は第１ユーザー機器３のために指定されたリソースＰＲＢ３を割り当て、複数の指定された時間の周期は１００ｍｓである。
【００４２】
一例において、前記第１ユーザー機器の指定されたリソース関連情報は前記ネットワーク機器により設定された。つまり、ネットワーク機器は直接に第１ユーザー機器のために指定されたリソース関連情報を設定する。
【００４３】
一例において、前記第１ユーザー機器の指定されたリソース関連情報は前記第１ユーザー機器により前記第１ユーザー機器のＩＤに従って確定される。つまり、第１ユーザー機器は自身のＩＤ（例えばＩＤ  Ｍｏｄｅ  Ｘのモード、Ｘが設定可能である）に従って自身の指定されたリソース情報を確定する。このＩＤは第２ユーザー機器或いはネットワーク機器により設定されることができる。例えば、例えば第１ユーザー機器ＩＤ  Ｍｏｄｅ  Ｘ  の後、残りが１であると、ＰＲＢ１＋設定周期１を使用し、残りが２であると、ＰＲＢ２＋設定周期２を使用し、以下、同様に設定する。上記の設定は予め設定されることができる。
【００４４】
一例において、前記第１ユーザー機器の指定されたリソース関連情報は前記第２ユーザー機器により設定される場合に、前記第２ユーザー機器が使用する指定されたリソース関連情報は前記ネットワーク機器により設定される。つまり、第１ユーザー機器の指定されたリソース関連情報は第２ユーザー機器により設定される場合に、第２ユーザー機器が第１ユーザー機器のために設定した指定されたリソース関連情報はネットワーク機器が第２ユーザー機器のために設定した指定されたリソース関連情報に基づいて設定されたものである。或いは、第１ユーザー機器の指定されたリソース関連情報は第２ユーザー機器により設定される場合に、第２ユーザー機器のデータを送受信するための指定されたリソース関連情報はネットワーク機器により設定されたものである。
【００４５】
一例において、前記指定されたリソース関連情報は指定された送信電力を更に含む。
【００４６】
具体的に、ユーザー機器グループ内のユーザー機器は場所に応じて送信電力を決定することができ、ユーザー機器ｉがグループ内のその他のユーザー機器に近いと、送信電力を小さくすることができ、ユーザー機器ｉがグループ内のその他のユーザー機器に遠いと、送信電力を大きくすることができる。
【００４７】
一例において、前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものである。
【００４８】
システム情報は例えばＳＩＢ２におけるＣｏｍｍｏｎ  Ｒｅｓｏｕｒｃｅ  Ｃｏｎｆｉｇｕｒａｔｉｏｎ等を有することができ、専用シグナリングは例えばＲＲＣ  Ｒｅｃｏｎｆｉｇｕｒａｔｉｏｎ等を有することができる。
【００４９】
具体的に、第２ユーザー機器がシステム情報または専用シグナリングによって第１ユーザー機器の指定されたリソース関連情報を設定する具体的な実施形態は、第２ユーザー機器が第１ユーザー機器にシステム情報または専用シグナリングを送信し、第１ユーザー機器の指定されたリソース関連情報がシステム情報または専用シグナリングに携えられること、及び第１ユーザー機器が第２ユーザー機器が送信したシステム情報または専用シグナリングを受信した後に、第１ユーザー機器の指定されたリソース関連情報を取得することができることがある。
【００５０】
具体的に、ネットワーク機器がシステム情報または専用シグナリングによって第１ユーザー機器の指定されたリソース関連情報を設定する具体的な実施形態は、ネットワーク機器が第２ユーザー機器にシステム情報または専用シグナリングを送信し、第１ユーザー機器の指定されたリソース関連情報がシステム情報または専用シグナリングに携えられること、及び第２ユーザー機器がネットワーク機器が送信したシステム情報または専用シグナリングを受信した後に、第２ユーザー機器がシステム情報または専用シグナリングに携えられた第１ユーザー機器の指定されたリソース関連情報を第１ユーザー機器に送信することがある。
【００５１】
一例において、前記第１ユーザー機器の指定されたリソース関連情報が前記第２ユーザー機器により設定され、或いは、前記第１ユーザー機器の指定されたリソース関連情報が前記ネットワーク機器により設定される場合に、前記第１ユーザー機器の指定されたリソース関連情報は前記第２ユーザー機器または前記ネットワーク機器により放送チャンネルによって放送される。
【００５２】
具体的に、第２ユーザー機器が放送チャンネルによって第１ユーザー機器の指定されたリソース関連情報を放送する具体的な実施形態は、第２ユーザー機器が第１ユーザー機器の指定されたリソース関連情報を放送チャンネル（ＰＢＣＨ）で放送し、第１ユーザー機器は放送チャンネルを監視することによって第１ユーザー機器の指定されたリソース関連情報を取得することができることがある。
【００５３】
具体的に、ネットワーク機器が放送チャンネルによって第１ユーザー機器の指定されたリソース関連情報を放送する具体的な実施形態は、ネットワーク機器が第１ユーザー機器の指定されたリソース関連情報を放送チャンネル（ＰＢＣＨ）で放送し、第２ユーザー機器は放送チャンネルを監視することによって第１ユーザー機器の指定されたリソース関連情報を取得した後に、第２ユーザー機器が監視された第１ユーザー機器の指定されたリソース関連情報を第１ユーザー機器に送信することがある。
【００５４】
一例において、前記第２ユーザー機器の指定されたリソース関連情報は前記ネットワーク機器により設定される。つまり、ネットワーク機器は直接に第２ユーザー機器のために指定されたリソース関連情報を設定する。
【００５５】
一例において、前記第２ユーザー機器の指定されたリソース関連情報は前記第２ユーザー機器により前記第２ユーザー機器のＩＤに従って確定される。つまり、第２ユーザー機器は自身のＩＤ（例えばＩＤ  Ｍｏｄｅ  Ｘのモード、Ｘが設定可能である）に従って自身の指定されたリソース情報を確定する。このＩＤは第２ユーザー機器或いはネットワーク機器により設定されることができる。例えば、例えば第２ユーザー機器ＩＤ  Ｍｏｄｅ  Ｘ  の後、残りが１であると、ＰＲＢ１＋設定周期１を使用する。上記の設定は事前に設定されることができる。
【００５６】
上記の図２ａに示すような実施例と一致して、図３を参照し、図３は本願の実施例によるユーザー機器の構造の模式図であり、通信システムに応用され、前記通信システムはユーザー機器グループを含み、前記ユーザー機器グループが複数のユーザー機器を含み、図に示すように、該ユーザー機器は１つまたは複数のプロセッサー、１つまたは複数のメモリ、１つまたは複数のトランシーバー及び１つまたは複数のプログラムを含み、前記１つまたは複数のプログラムが前記メモリに記憶され、且つ前記１つまたは複数のプロセッサーにより実行するように設定され、前記プログラムが以下のステップを実行するための命令を含み、
指定されたリソース関連情報に従ってデータの送受信を行い、前記指定されたリソース関連情報に複数の指定された時間および／または複数の指定されたリソースが含まれる。
【００５７】
一例において、前記複数のユーザー機器が複数の第１ユーザー機器および／または第２ユーザー機器を含み、前記第２ユーザー機器は前記ユーザー機器グループのグループヘッド機器であり、前記第２ユーザー機器は第１ユーザー機器と異なり、或いは、前記第２ユーザー機器は前記複数の第１ユーザー機器の中の１つである。
【００５８】
一例において、各第１ユーザー機器は１つの指定されたリソース関連情報に対応し、前記複数の第１ユーザー機器の中で予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中で予め設定された条件を満たさない少なくとも２つの第１ユーザー機器が存在する場合に、前記少なくとも２つの第１ユーザー機器に対応した指定されたリソース関連情報が異なる。
【００５９】
一例において、前記通信システムはネットワーク機器を更に含み、前記第１ユーザー機器の指定されたリソース関連情報は前記第２ユーザー機器により設定され、或いは、前記第１ユーザー機器の指定されたリソース関連情報は前記ネットワーク機器により設定され、或いは、前記第１ユーザー機器の指定されたリソース関連情報は前記第１ユーザー機器により前記第１ユーザー機器のＩＤに従って確定される。
【００６０】
一例において、前記指定されたリソース関連情報は指定された送信電力を更に含む。
【００６１】
一例において、前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものである。
【００６２】
一例において、前記第２ユーザー機器の指定されたリソース関連情報は前記ネットワーク機器により設定され、或いは、前記第２ユーザー機器の指定されたリソース関連情報は前記第２ユーザー機器により前記第２ユーザー機器のＩＤに従って確定されるものである。
【００６３】
一例において、前記第１ユーザー機器の指定されたリソース関連情報は前記第２ユーザー機器により設定される場合に、前記第２ユーザー機器が使用する指定されたリソース関連情報は前記ネットワーク機器により設定される。
【００６４】
一例において、前記複数の指定された時間における任意の２つの隣接する指定された時間の間隔が同様であり、各指定された時間に対応した複数の指定されたリソースが同様である。
【００６５】
これから見ると、本手段において、ユーザー機器グループ１２０におけるユーザー機器は、毎回データを送受信する前にリソーススケジューリングを実行する必要がないため、リソーススケジューリングのシグナリングオーバーヘッドが削減され、また、ユーザー機器グループにおける各ユーザー機器がデータの送受信を行うのは全て対応したリソース関連情報に従って行うため、グループ内のＵＥがリソースを占有する際の衝突確率を低下させる。
【００６６】
ユーザー機器は上記の機能を実現するために、各機能を実行する対応したハードウェア構造および／またはソフトウェアモジュールを含む。当業者は、本文に開示された実施例に記載の各例示のユニット及びアルゴリズムステップを組み合わせて、本願がハードウェアまたはハードウェアとコンピュータソフトウェアの組み合わせで実現することができるのを認識することができる。ある機能がハードウェアで実行するか、或いはコンピュータソフトウェアでハードウェアを駆動する方法によって実行するかは、技術案の特定のアプリケーションおよび設計制約条件によって決められる。当業者は各特定のアプリケーションに対して異なる方法で説明した機能を実現することができるが、このような実現は本願の範囲を超えないと考えられない。
【００６７】
本願の実施例は上記の方法例に従ってユーザー機器に対して機能ユニットの分割を行うことができ、例えば、各機能に対応して各機能ユニットを分割してもよいし、２つまたは２つ以上の機能を１つの処理ユニットに集積してもよい。上記集積されたユニットはハードウェアの形で実現されてもよいし、ソフトウェアプログラムモジュールの形で実現されもよい。説明する必要があるのは、本願の実施例においてユニットの分割は例示的なものであり、ロジック機能の分割だけであり、実際の実現時に別の分割方法ができる。
【００６８】
集積されたユニットまたはモジュールを使用する場合に、図４は上記実施例に関したユーザー機器の一可能な機能ユニットの組成ブロック図を示す。ユーザー機器４００は、処理ユニット４０１と通信ユニット４０２を含む。処理ユニット４０１はユーザー機器の動作を制御管理することに用いられ、例えば、処理ユニット４０１はユーザー機器が図２におけるステップ２０１および／または本文に記載の技術のその他の過程を実行するのをサポートすることに用いられる。通信ユニット４０２はユーザー機器とその他の機器との通信、例えば図１に示されたネットワーク機器とその他のグループ内のユーザー機器との間の通信をサポートすることに用いられる。ユーザー機器は記憶ユニット４０３を更に含んでよく、ユーザー機器のプログラムコードとデータを記憶することに用いられる。
【００６９】
処理ユニット４０１はプロセッサーまたはコントローラー、例えば中央プロセッサー（Ｃｅｎｔｒａｌ  Ｐｒｏｃｅｓｓｉｎｇ  Ｕｎｉｔ、ＣＰＵ）、汎用プロセッサー、デジタル信号プロセッサー（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いはその他のプログラマブルロジックデバイス、トランジスタ論理デバイス、ハードウェア部材或いはその他の任意の組み合わせであってよい。本願の開示内容を組み合わせて説明した様々な例示的な論理ボックス、モジュール及び回路を実現または実行することができる。前記プロセッサーは計算機能を実現する組み合わせ、例えば１つまたは複数のマイクロプロセッサを含む組み合わせ、ＤＳＰとマイクロプロセッサの組み合わせ等であってもよい。通信ユニット４０２はトランシーバー、トランシーバー回路、無線周波数チップ等であってよく、記憶ユニット４０３はメモリであってよい。
【００７０】
処理ユニット４０１はプロセッサーであり、通信ユニット４０２は通信インターフェースであり、記憶ユニット４０３はメモリである場合に、本願の実施例に関したユーザー機器は図３に示すようなユーザー機器であってよい。
【００７１】
本願の実施例は他のユーザー機器を更に提供し、図５に示すように、説明の便利のため、本願の実施例に関連する部分のみを示し、示されない具体的な技術的細部に対して、本願の実施例の方法部分を参照してよい。該ユーザー機器は携帯電話、タブレット、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売ターミナル）、カーコンピューター等の任意のユーザー機器であってよく、例として、ユーザー機器を携帯電話として使用し、
図５は本願の実施例によるユーザー機器に関連する携帯電話の部分構造のブロック図である。図５を参照して、携帯電話は、無線周波数（Ｒａｄｉｏ  Ｆｒｅｑｕｅｎｃｙ、ＲＦ）回路９１０、メモリ９２０、入力ユニット９３０、表示ユニット９４０、センサー９５０、オーディオ回路９６０、ワイヤレスフィデリティ（Ｗｉｒｅｌｅｓｓ  Ｆｉｄｅｌｉｔｙ、ＷｉＦｉ）モジュール９７０、プロセッサー９８０、及び電源９９０等の部材を含む。当業者は理解できるのは、図５に示した携帯電話構造は携帯電話を制限するためのものではなく、図面より多くまたは少ない部材を含み、或いはある部材を組み合わせ、或いは異なる部材の布置を有することができる。
【００７２】
以下、図５を組み合わせて携帯電話のそれぞれの構成部材を具体的に紹介し、
ＲＦ回路９１０は情報を受信と送信することに用いられることができる。一般的に、ＲＦ回路９１０はアンテナ、少なくとも１つのアンプ、トランシーバー、カプラー、低雑音アンプ（Ｌｏｗ  Ｎｏｉｓｅ  Ａｍｐｌｉｆｉｅｒ、ＬＮＡ）、デュプレクサ等を含むが、これらに制限されない。なお、ＲＦ回路９１０は無線通信によってネットワーク及びその他の機器と通信してもよい。上記の無線通信は任意の通信規格またはプロトコルを使用でき、グローバルなモバイル通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、一般的なパケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、長期的な進化（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）等を含むが、これらに制限されない。
【００７３】
メモリ９２０はソフトウェアプログラム及びモジュールを記憶することに用いられることができ、プロセッサー９８０はメモリ９２０に記憶されたソフトウェアプログラム及びモジュールを運転することによって、携帯電話の様々な機能アプリケーション及びデータ処理を実行する。メモリ９２０は主にプログラム記憶領域とデータ記憶領域を含んでよく、プログラム記憶領域に操作システム、少なくとも１つの機能に必要なアプリケーションプログラム等を記憶することができ、データ記憶領域に携帯電話の使用に応じて作成されたデータ等を記憶することができる。なお、メモリ９２０は高速ランダムアクセスメモリを含んでもよいし、不揮発性メモリ、例えば少なくとも１つのディスク記憶デバイス、フラッシュデバイス、またはその他の揮発性ソリッドステート記憶デバイスを含んでもよい。
【００７４】
入力ユニット９３０は入力した数または文字情報を受信し、及び携帯電話のユーザー設定及び機能制御に関連するキー信号入力を生成することに用いられることができる。具体的に、入力ユニット９３０は指紋認識モジュール９３１及びその他の入力機器９３２を含んでよい。指紋認識モジュール９３１は、その上でのユーザーの指紋データを収集することができる。指紋認識モジュール９３１に加え、入力ユニット９３０はその他の入力機器９３２を含んでもよい。具体的に、その他の入力機器９３２は、タッチスクリーン、物理キーボード、ファンクションキー（例えば音量調節ボタン、スイッチボタン等）、トラックボール、マウス、ジョイスティック等の中の１つまたは複数を含んでもよいが、これらに制限されない。
【００７５】
表示ユニット９４０はユーザーにより入力した情報、またはユーザーに提供する情報及び携帯電話の様々なメニューを表示することに用いられることができる。表示ユニット９４０はディスプレイ９４１を含んでよく、選択可能に、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形でディスプレイ９４１を設定することができる。図５では、指紋認識モジュール９３１とディスプレイ９４１は２つの独立した部材として携帯電話の入力と入力機能を実現したが、ある実施例において、指紋認識モジュール９３１とディスプレイ９４１を集積して携帯電話の入力と放送機能を実現することができる。
【００７６】
携帯電話は少なくとも１つのセンサー９５０、例えば光センサー、モーションセンサー及びその他のセンサーを更に含んでもよい。具体的に、光センサーは周囲光センサー及び近接センサーを含んでよく、周囲光センサーは周囲光の明るさに従ってディスプレイ９４１の明るさを調整することができ、近接センサーは携帯電話が耳に移動する際に、ディスプレイ９４１および／またはバックライトをオフにすることができる。モーションセンサーの１種として、加速度計センサーは各方向（一般的に３軸である）における加速度の大きさを検出することができ、静止している時、重力の大きさと方向を検出することができ、携帯電話ジェスチャーのアプリケーション（例えば水平および垂直画面切り替え、関連ゲーム、磁力計の姿勢較正）、振動認識に関連する機能（例えば歩数計、タップ）等を識別するために使用でき、ジャイロスコープ、気圧計、湿度計、温度計、赤外線センサーなど、携帯電話に構成できるセンサーに対して、ここで繰り返さない。
【００７７】
オーディオ回路９６０、スピーカー９６１、マイク９６２はユーザーと携帯電話との間のオーディオインターフェースを提供することができる。オーディオ回路９６０は受信したオーディオデータを変換した後の電気信号を、スピーカー９６１に伝送することができ、スピーカー９６１により声音信号に変換して再生し、他方で、マイク９６２は収集した声音信号を電気信号に変換して、オーディオ回路９６０により受信した後にオーディオデータに変換し、更にオーディオデータを放送してプロセッサー９８０により処理した後に、ＲＦ回路９１０によって例えば他の携帯電話に送信し、或いはオーディオデータをメモリ９２０に放送して、更なる処理を行うようにする。
【００７８】
ＷｉＦｉは短距離無線伝送技術に属し、携帯電話はＷｉＦｉモジュール９７０によってユーザーが電子メールを送受信し、ウェブを閲覧し及びストリーミングメディアをアクセスする等を助けることができ、ユーザーのために無線のブロードバンドインターネットアクセスを提供した。図５はＷｉＦｉモジュール９７０を示したが、理解できるのは、携帯電話の必要な構成に属しなく、必要に応じて発明の本質を変えない範囲で省略することができる。
【００７９】
プロセッサー９８０は携帯電話のコントロールセンターであり、様々なインターフェースと線路によって携帯電話全体の各部分を接続し、メモリ９２０に記憶されたソフトウェアプログラムおよび／またはモジュールを運転または実行し、及びメモリ９２０に記憶されたデータを呼び出すことによって、携帯電話の様々な機能を実行してデータを処理し、それにより携帯電話を全体的に監視する。選択可能に、プロセッサー９８０は１つまたは複数の処理ユニットを含んでよく、好ましくは、プロセッサー９８０にアプリケーションプロセッサーとモデムプロセッサーが集積されることができ、アプリケーションプロセッサーは主に操作システム、ユーザインターフェース及びアプリケーションプログラム等を処理し、モデムプロセッサーは主に無線通信を処理する。理解できるのは、上記モデムプロセッサーはプロセッサー９８０に集積されなくてもよい。
【００８０】
携帯電話は各部材のために給電する電源９９０（例えば電池）を更に含み、好ましくは、電源は電源管理システムによってプロセッサー９８０に論理接続されることができ、それにより電源管理システムによって充電、放電、及び電力管理等を管理する機能を実現する。
【００８１】
図示されないが、携帯電話はカメラ、ブルートゥースモジュールなどを更に含むことができ、ここで繰り返さない。
【００８２】
上記の図２に示すような実施例において、各ステップ方法におけるユーザー機器側のフローは該携帯電話の構造に基づいて実現することができる。
【００８３】
上記の図４に示すような実施例において、各ユニット機能は該携帯電話の構造に基づいて実現することができる。
【００８４】
本願の実施例はコンピュータ読み取り可能な記憶媒体を更に提供し、前記コンピュータ読み取り可能な記憶媒体は電子データ交換を行うためのコンピュータプログラムを記憶することに用いられ、前記コンピュータプログラムによってコンピュータに上記の方法実施例におけるユーザー機器に関する記載の一部または全部のステップを実行させる。
【００８５】
本願の実施例はコンピュータプログラム製品を更に提供し、前記コンピュータプログラム製品はコンピュータプログラムを記憶した非一時的なコンピュータ読み取り可能な記憶媒体を含み、前記コンピュータプログラムはコンピュータに上記方法におけるユーザー機器に関する記載の一部または全部のステップを実行させるように操作されることができる。該コンピュータプログラム製品は１つのソフトウェアインストールパッケージであってよい。
【００８６】
本願の実施例による方法或いはアルゴリズムのステップはハードウェアで実現してもよいし、プロセッサーによりソフトウェア命令を実行することで実現してもよい。ソフトウェア命令は対応したソフトウェアモジュールからなることができ、ソフトウェアモジュールはランダムアクセスメモリ（Ｒａｎｄｏｍ  Ａｃｃｅｓｓ  Ｍｅｍｏｒｙ、ＲＡＭ）、フラッシュメモリ、読み取り専用メモリ（Ｒｅａｄ  Ｏｎｌｙ  Ｍｅｍｏｒｙ、ＲＯＭ）、消去可能なプログラム可能な読み取り専用メモリ（Ｅｒａｓａｂｌｅ  Ｐｒｏｇｒａｍｍａｂｌｅ  ＲＯＭ、ＥＰＲＯＭ）、電気的に消去可能なプログラム可能な読み取り専用メモリ（Ｅｌｅｃｔｒｉｃａｌｌｙ  ＥＰＲＯＭ、ＥＥＰＲＯＭ）、レジスタ、ハードディスク、モバイルハードディスク、読み取り専用ＣＤ（ＣＤ−ＲＯＭ）或いは本分野で既知のその他の任意の形の記憶媒体に記憶されることができる。ある例示的な記憶媒体がプロセッサーにカップリングされ、それによりプロセッサーを該記憶媒体から情報を読み取らせることができ、且つ該記憶媒体に情報を書き込むことができる。無論、記憶媒体はプロセッサーの組成部分であってもよい。プロセッサーと記憶媒体はＡＳＩＣに位置することができる。また、該ＡＳＩＣはアクセスネットワーク機器、ターゲットネットワーク機器またはコアネットワーク機器に位置することができる。無論、プロセッサーと記憶媒体は離散コンポーネントとしてアクセスネットワーク機器、ターゲットネットワーク機器またはコアネットワーク機器に存在してもよい。
【００８７】
当業者は認識することができるのは、上記の１つまたは複数の例において、本願の実施例に記載の機能は全部または一部的にソフトウェア、ハードウェア、ファームウェア或いはその任意の組み合わせによって実現することができる。ソフトウェアで実現する際に、全部または一部的にコンピュータプログラム製品の形で実現することができる。前記コンピュータプログラム製品は１つまたは複数のコンピュータ命令を含む。コンピュータに前記コンピュータプログラム命令をロードと実行する場合に、全部または一部的に本願の実施例に記載のフローまたは機能を生成する。前記コンピュータは汎用コンピュータ、専用コンピュータ、コンピュータネットワーク、或いはその他のプログラマブル装置であってよい。前記コンピュータ命令はコンピュータ読み取り可能な記憶媒体に記憶され、或いは１つのコンピュータ読み取り可能な記憶媒体から他のコンピュータ読み取り可能な記憶媒体に伝送されることができ、例えば、前記コンピュータ命令は１つのウェブサイトサイト、コンピュータ、サーバーまたはデータセンターから有線（例えば同軸ケーブル、光ファイバー、デジタル加入者線（Ｄｉｇｉｔａｌ  Ｓｕｂｓｃｒｉｂｅｒ  Ｌｉｎｅ、ＤＳＬ））または無線（例えば赤外線、ワイヤレス、マイクロ波等）の方法によって他のウェブサイトサイト、コンピュータ、サーバーまたはデータセンターに伝送されることができる。前記コンピュータ読み取り可能な記憶媒体はコンピュータがアクセスできる任意の利用可能なメディアであってよく或いは１つまたは複数の利用可能なメディアにより集積されたサーバー、データセンター等を含んだデータ記憶機器である。前記利用可能なメディアは磁気媒体（例えば、フロッピーディスク、ハードディスク、テープ）、光学媒体（例えば、デジタルビデオディスク（Ｄｉｇｉｔａｌ  Ｖｉｄｅｏ  Ｄｉｓｃ、ＤＶＤ））、或いは半導体媒体（例えば、ソリッドステートディスク（Ｓｏｌｉｄ  Ｓｔａｔｅ  Ｄｉｓｋ、ＳＳＤ））等であってよい。
【００８８】
以上のような具体的な実施形態によって、本願の実施例の目的、技術的解決手段及び有益な効果を更に詳細的に説明し、理解すべきなのは、以上のものは本願の実施例の具体的な実施形態だけであり、本願の実施例の保護範囲を制限するためのものではなく、本願の実施例の技術的解決手段の上で、行ったいずれの修正、等価置換、改善等は、本願の実施例の保護範囲に含まれるべきである。
【図１】
2020519183.tif 000003
【図２ａ】
2020519183.tif 000004
【図２ｂ】
2020519183.tif 000005
【図２ｃ】
2020519183.tif 000006
【図２ｄ】
2020519183.tif 000007
【図２ｅ】
2020519183.tif 000008
【図２ｆ】
2020519183.tif 000009
【図３】
2020519183.tif 000010
【図４】
2020519183.tif 000011
【図５】
2020519183.tif 000012
【手続補正書】
【提出日】令和2年4月15日(2020.4.15)
【手続補正１】
【補正対象書類名】明細書
【補正対象項目名】全文
【補正方法】変更
【補正の内容】
【発明の詳細な説明】
【技術分野】
【０００１】
本願は通信技術分野に関し、特にデータの送受信方法及び関連製品に関する。
【背景技術】
【０００２】
ユーザー機器（Ｕｓｅｒ  Ｅｑｕｉｐｍｅｎｔ、ＵＥ）間に直接に通信するシナリオにおいて、ＵＥ間に距離が近く、運動軌跡が同様であり、或いはＵＥ間に相互信頼の接続関係が存在する等のため、便利な通信または便利な管理のために、これらのＵＥを１つのグループに形成する。例えば、カーネットワーキングにおける運転車列は、異なる車間に関連関係、例えば車が固定間隔、固定移動速度、固定軌跡で進む等が存在する可能性があり、これらの車を１つのグループに形成する。また例えば、ウェアラブルデバイスシナリオにおけるデバイスグループである。このデバイスグループに１つまたは複数のリレーＵＥ（Ｒｅｌａｙ  ＵＥ）と１つまたは複数の関連または接続関係を有するリモートＵＥ（Ｒｅｍｏｔｅ  ＵＥ）が含まれる。このデバイスグループにおけるデバイスは相互信頼関係を有し、動き軌跡、動き速度はほぼ同じである。
【０００３】
グループの形で存在しているＵＥグループに対して、ＵＥはデータを送受信する場合に、リソース占有の衝突問題、及びリソーススケジューリングシグナリングのオーバーヘッド問題が存在する可能性があるため、如何にグループ内のＵＥがリソースを占有する際の衝突確率を低下し及びリソーススケジューリングのシグナリングオーバーヘッドを削減するかは解決する必要がある技術問題である。
【発明の概要】
【発明が解決しようとする課題】
【０００４】
本願の実施例はデータの送受信方法及び関連製品を提供し、グループ内のＵＥがリソースを占有する際の衝突確率を低下し及びリソーススケジューリングのシグナリングオーバーヘッドを削減することに用いられる。
【課題を解決するための手段】
【０００５】
第１態様によれば、本願の実施例はデータの送受信方法を提供し、通信システムに応用され、前記通信システムはユーザー機器グループを含み、前記ユーザー機器グループが複数のユーザー機器を含み、
前記ユーザー機器は指定されたリソース関連情報に従ってデータの送受信を行い、前記指定されたリソース関連情報に複数の指定された時間および／または複数の指定されたリソースが含まれるステップを含む。
【０００６】
第２態様によれば、本願の実施例はユーザー機器を提供し、通信システムに応用され、前記通信システムはユーザー機器グループを含み、前記ユーザー機器グループが複数のユーザー機器を含み、前記ユーザー機器は前記複数のユーザー機器に含まれ、前記ユーザー機器が処理ユニットと通信ユニットを含み、
前記通信ユニットは、指定されたリソース関連情報に従ってデータの送受信を行うことに用いられ、前記指定されたリソース関連情報に複数の指定された時間および／または複数の指定されたリソースが含まれる。
【０００７】
第３態様によれば、本願の実施例はユーザー機器を提供し、１つまたは複数のプロセッサー、１つまたは複数のメモリ、１つまたは複数のトランシーバー、及び１つまたは複数のプログラムを含み、前記１つまたは複数のプログラムが前記メモリに記憶され、且つ前記１つまたは複数のプロセッサーにより実行するように設定され、前記プログラムは第１態様に記載の方法におけるステップを実行するための命令を含む。
【０００８】
第４態様によれば、本願の実施例はコンピュータ読み取り可能な記憶媒体を提供し、電子データ交換を行うためのコンピュータプログラムを記憶し、前記コンピュータプログラムはコンピュータに第１態様に記載の方法を実行させる。
【０００９】
第５態様によれば、本願の実施例はコンピュータプログラム製品を提供し、前記コンピュータプログラム製品はコンピュータプログラムを記憶した非一時的なコンピュータ読み取り可能な記憶媒体を含み、前記コンピュータプログラムはコンピュータが第１態様に記載の方法を実行するように操作されることができる。
【発明の効果】
【００１０】
これから見ると、本手段において、ユーザー機器は、毎回データを送受信する前にリソーススケジューリングを実行する必要がないため、リソーススケジューリングのシグナリングオーバーヘッドが削減され、また、各ユーザー機器のデータ送受信は、指定されたリソース関連情報を使用して実行されるため、グループ内のＵＥがリソースを占有している場合の衝突確率を低下させる。
【００１１】
本願のこれらの態様またはその他の態様は以下の実施例の説明ではより簡潔で理解しやすくなる。
【図面の簡単な説明】
【００１２】
本願の実施例又は従来技術の技術的解決手段をより明確に説明ために、以下、実施例又は従来技術の説明で用いられる図面について簡単に説明する。明らかに、以下の説明における図面は、本願のいくつかの実施例であり、当業者であれば、創造的な労働をせずに、これらの図面から他の図面を得ることができる。
【図１】本願の実施例によるネットワークアーキテクチャの模式図である。
【図２ａ】本願の実施例によるデータの送受信方法の概略的なフローチャートである。
【図２ｂ】本願の実施例による複数の指定された時間の模式図である。
【図２ｃ】本願の実施例による各指定された時間と複数の指定されたリソースの模式図である。
【図２ｄ】本願の実施例による複数の第１ユーザー機器に対応した指定されたリソース関連情報の模式図である。
【図２ｅ】本願の実施例による他の複数の第１ユーザー機器に対応した指定されたリソース関連情報の模式図である。
【図２ｆ】本願の実施例による他の複数の第１ユーザー機器に対応した指定されたリソース関連情報の模式図である。
【図３】本願の実施例によるユーザー機器の構造の模式図である。
【図４】本願の実施例による他のユーザー機器の構造の模式図である。
【図５】本願の実施例による他のユーザー機器の構造の模式図である。
【発明を実施するための形態】
【００１３】
当業者に本願の技術的解決手段をよりよく理解させるために、以下、本願の実施例における添付の図面を参照しながら、本願の実施例における技術的解決手段を明確かつ完全に説明し、記載された実施例は本願の実施例の一部にすぎず、実施例の全てではないことは明らかである。本願の実施例に基づいて、創造的な労働をせずに、当業者が取得した他の全ての実施例は、いずれも本願の保護範囲に属する。
【００１４】
以下でそれぞれ詳しく説明する。
【００１５】
本願の明細書、請求項の範囲及び前記図面における用語「第１」、「第２」、「第３」及び「第４」等は特定の順序を記述するためではなく、異なるオブジェクトを区別するために使用される。なお、用語「含む」、「有する」及びそれらの任意の変形は、非排他性的な包含を含むと意味する。例えば、一連のステップまたはユニットを含む過程、方法、システム、製品または機器はリストされたステップまたはユニットに制限されなく、一実施例において、リストされないステップまたはユニットを更に含んでよく、または選択可能にこれらの過程、方法、製品または機器に固有したその他のステップまたはユニットを更に含んでよい。
【００１６】
本文に言及した「実施例」は、実施例を組み合わせて説明した特定の特徴、構造または特性が本願の少なくとも１つの実施例に含まれることができることを意味する。明細書におけるそれぞれの場所でのフレーズの出現は、必ずしも同じ実施例を意味するわけではなく、その他の実施例と相互に排他的な独立したまたは代替的な実施例でもない。当業者は、本文に記載の実施例をその他の実施例と組み合わせることができることを明示的および暗黙的に理解する。
【００１７】
以下、図面を組み合わせて本願の実施例を説明する。
【００１８】
図１を参照して、図１は本願の実施例が開示したネットワークアーキテクチャの模式図である。図１に示すようなネットワークアーキテクチャはネットワーク機器１１０とユーザー機器グループ１２０を含み、前記ユーザー機器グループが複数のユーザー機器を含み、複数のユーザー機器に複数の通常の機器（通常の機器は即ち第１ユーザー機器である）とグループヘッド機器（グループヘッド機器は即ち第２ユーザー機器である）が含まれる。ユーザー機器グループ１２０の中の１つの通常の機器ｉはユーザー機器グループ１２０の中の通常の機器ｉ以外の通常の機器と通信することができ、或いはユーザー機器グループ１２０の中の１つの通常の機器ｉはユーザー機器グループ１２０の中のグループヘッド機器と通信することができ、通常の機器ｉが複数の通常の機器の中の１つである。ユーザー機器グループ１２０の中のグループヘッド機器はユーザー機器グループ１２０の中の通常の機器と通信することができ、或いは、ユーザー機器グループ１２０の中のグループヘッド機器はネットワーク機器１１０と通信することができる。
【００１９】
説明する必要があるのは、仮にユーザー機器グループ１２０は５つのユーザー機器を含み、この５つのユーザー機器は、ユーザー機器１、ユーザー機器２、ユーザー機器３、ユーザー機器４及びユーザー機器５であり、第１時間でユーザー機器グループ１２０は４つの第１ユーザー機器（例えばユーザー機器１、ユーザー機器２、ユーザー機器３、ユーザー機器４）と１つの第２ユーザー機器（例えばユーザー機器５）を含み、第２時間でユーザー機器グループ１２０は４つの第１ユーザー機器（例えばユーザー機器２、ユーザー機器３、ユーザー機器４、ユーザー機器５）と１つの第２ユーザー機器（例えばユーザー機器１）を含み、第３時間でユーザー機器グループ１２０は４つの第１ユーザー機器（例えばユーザー機器１、ユーザー機器２、ユーザー機器３、ユーザー機器４）と１つの第２ユーザー機器（例えばユーザー機器５）を含む。これから見ると、異なる時間で、ユーザー機器グループ１２０におけるグループヘッド機器は同様であってもよいし、異なってもよく、本願は制限しない。また、時間Ｉでユーザー機器ｉは第１ユーザー機器であり、次に、他の時間Ｊでユーザー機器ｉは第２ユーザー機器であり、ユーザー機器ｉはユーザー機器グループ１２０の中の１つのユーザー機器である可能性がある。
【００２０】
ユーザー機器グループ１２０における各ユーザー機器は全て１つの指定されたリソース関連情報に対応し、ユーザー機器グループ１２０に含まれたユーザー機器は全て対応的に指定されたリソース関連情報に従ってデータの送受信を行い、前記指定されたリソース関連情報に複数の指定された時間および／または複数の指定されたリソースが含まれる。
【００２１】
これから見ると、本手段において、ユーザー機器グループ１２０におけるユーザー機器は、毎回データを送受信する前にリソーススケジューリングを実行する必要がないため、リソーススケジューリングのシグナリングオーバーヘッドが削減され、また、ユーザー機器グループ１２０における各ユーザー機器はデータの送受信を行うのは全て対応したリソース関連情報に従って行うため、グループ内のＵＥがリソースを占有する際の衝突確率を低下させる。
【００２２】
ユーザー機器（Ｕｓｅｒ  Ｅｑｕｉｐｍｅｎｔ、ＵＥ）は、ユーザーに音声および／またはデータ接続性を提供する機器であり、例えば、無線接続機能を有するハンドヘルド機器、車載機器等である。よく見られるユーザー機器は例えば、携帯電話、タブレット、ラップトップ、ハンドヘルドコンピュータ、モバイルインターネットデバイス（ｍｏｂｉｌｅ  ｉｎｔｅｒｎｅｔ  ｄｅｖｉｃｅ、ＭＩＤ）、例えばスマートウォッチ、スマートブレスレット、歩数計等のウェアラブルデバイスを含む。
【００２３】
ネットワーク機器とは、ネットワーク側のノード機器を指し、例えば、ネットワーク機器はセルラーネットワークにおけるアクセスネットワーク側の無線アクセスネットワーク（Ｒａｄｉｏ  Ａｃｃｅｓｓ  Ｎｅｔｗｏｒｋ、ＲＡＮ）機器であってよく、所謂ＲＡＮ機器はユーザー機器を無線ネットワークにアクセスする機器であり、進化したノードＢ（ｅｖｏｌｖｅｄ  Ｎｏｄｅ  Ｂ、ｅＮＢ）、無線ネットワークコントローラー（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局コントローラー（Ｂａｓｅ  Ｓｔａｔｉｏｎ  Ｃｏｎｔｒｏｌｌｅｒ、ＢＳＣ）、基地局トランシーバーステーション（Ｂａｓｅ  Ｔｒａｎｓｃｅｉｖｅｒ  Ｓｔａｔｉｏｎ，  ＢＴＳ）、ホーム基地局（例えば、Ｈｏｍｅ  ｅｖｏｌｖｅｄ  ＮｏｄｅＢ、またはＨｏｍｅ  Ｎｏｄｅ  Ｂ、ＨＮＢ）、ベースバンドユニット（ＢａｓｅＢａｎｄ  Ｕｎｉｔ、ＢＢＵ）を含むが、これらに制限されなく、また例えば、ネットワーク機器はワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）におけるノード機器、例えばアクセスコントローラー（ａｃｃｅｓｓ  ｃｏｎｔｒｏｌｌｅｒ、ＡＣ）、ゲートウェイ、またはＷＩＦＩアクセスポイント（Ａｃｃｅｓｓ  Ｐｏｉｎｔ、ＡＰ）等であってよい。
【００２４】
以下、図１に示すようなネットワークアーキテクチャを組み合わせて本願の実施例によるデータの送受信方法を詳細的に説明する。
【００２５】
図２ａを参照して、図２ａは本願の実施例によるデータの送受信方法の概略的なフローチャートであり、以下のステップを含み、
Ｓ２０１、ユーザー機器グループにおけるユーザー機器は指定されたリソース関連情報に従ってデータの送受信を行い、前記指定されたリソース関連情報に複数の指定された時間および／または複数の指定されたリソースが含まれる。
【００２６】
ユーザー機器グループにおける各ユーザー機器は１つの指定されたリソース関連情報に対応する。例えば、ユーザー機器グループにＮ個のユーザー機器が含まれ、Ｎ個のユーザー機器はＮ個の指定されたリソース関連情報に対応し、Ｎ個のユーザー機器がＮ個の指定されたリソース関連情報に一々対応し、Ｎは１より大きい整数である。
【００２７】
一例において、前記指定されたリソース関連情報に含まれた前記複数の指定された時間における任意の２つの隣接する指定された時間の間隔が同様であり、各指定された時間に対応した複数の指定されたリソースが同様である。
【００２８】
例えば、図２ｂに示すように、図２ｂは本願の実施例による複数の指定された時間の模式図である。仮に複数の指定された時間はＭ個の指定された時間を有し、このＭ個の指定された時間は時間順序に従って、指定された時間１、指定された時間２……指定された時間Ｍ−１及び指定された時間Ｍが配列される。このＭ個の指定された時間における任意の２つの隣接する指定された時間の間隔はｄと等しいことができる。つまり、このＭ個の指定された時間は周期的なものであり、例えば１００ｍｓごとに１つの指定された時間を有する。
【００２９】
また例えば、図２ｃに示すように、図２ｃは本願の実施例による各指定された時間と複数の指定されたリソースの模式図である。仮に複数の指定されたリソースはＫ個の指定されたリソースを有し、Ｍ個の指定された時間における各指定された時間に対応したＫ個の指定されたリソースは同様であってよく、Ｋは１より大きい整数である。
【００３０】
勿論、前記複数の指定された時間における任意の２つの隣接する指定された時間の間隔は異なってもよく、各指定された時間に対応した複数の指定されたリソースも異なってもよく、本願は制限しない。
【００３１】
例えば、仮にユーザー機器グループは５つのユーザー機器を含み、この５つのユーザー機器は、ユーザー機器１、ユーザー機器２、ユーザー機器３、ユーザー機器４及びユーザー機器５であり、ユーザー機器１は指定されたリソース関連情報１に対応し、ユーザー機器２は指定されたリソース関連情報２に対応し、ユーザー機器３は指定されたリソース関連情報３に対応し、ユーザー機器４は指定されたリソース関連情報４に対応し、ユーザー機器５は指定されたリソース関連情報５に対応する。ユーザー機器グループは４つの第１ユーザー機器（例えばユーザー機器１、ユーザー機器２、ユーザー機器３、ユーザー機器４）と１つの第２ユーザー機器（例えばユーザー機器５）を含む。ユーザー機器グループにおけるユーザー機器ｉは対応した指定されたリソース関連情報に従ってデータの送受信を行い、ユーザー機器ｉはこの５つのユーザー機器の中の１つである。
【００３２】
これから見ると、本手段において、ユーザー機器グループ１２０におけるユーザー機器は、毎回データを送受信する前にリソーススケジューリングを実行する必要がないため、リソーススケジューリングのシグナリングオーバーヘッドが削減され、また、ユーザー機器グループにおける各ユーザー機器はデータの送受信を行うのは全て対応したリソース関連情報に従って行うため、グループ内のＵＥがリソースを占有する際の衝突確率を低下させる。
【００３３】
一例において、各第１ユーザー機器は１つの指定されたリソース関連情報に対応し、前記複数の第１ユーザー機器の中に予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中に前記予め設定された条件を満たさない少なくとも２つの第１ユーザー機器が存在する場合に、前記少なくとも２つの第１ユーザー機器に対応した指定されたリソース関連情報が異なる。
【００３４】
更に、前記予め設定された条件は前記少なくとも２つの第１ユーザー機器の中の任意の２つの第１ユーザー機器の間の距離が第１予め設定された閾値より大きいまたは等しいことである。
【００３５】
例えば、図２ｄに示すように、図２ｄは本願の実施例による複数の第１ユーザー機器に対応した指定されたリソース関連情報の模式図である。図２ｄに示すように、仮に複数の第１ユーザー機器は３つの第１ユーザー機器であり、この３つの第１ユーザー機器は、第１ユーザー機器１、第１ユーザー機器２及び第１ユーザー機器３である。第１ユーザー機器１と第１ユーザー機器２との間の距離はａであり、第１ユーザー機器２と第１ユーザー機器３との間の距離はｂであり、第１ユーザー機器１と第１ユーザー機器３との間の距離はｃであり、仮にａは第１予め設定された閾値より大きく、ｂは第１予め設定された閾値より小さく、ｃは第１予め設定された閾値より小さい。この場合、第１ユーザー機器１と第１ユーザー機器２は対応した指定されたリソース関連情報が同様であり（例えば指定されたリソース関連情報１）、第１ユーザー機器２と第１ユーザー機器３に対応した指定されたリソース関連情報が異なり、第１ユーザー機器１と第１ユーザー機器３に対応した指定されたリソース関連情報が異なり、第１ユーザー機器３の指定されたリソース関連情報は指定されたリソース関連情報２であってよく、指定されたリソース関連情報１と指定されたリソース関連情報２は異なる。
【００３６】
更に、前記予め設定された条件は前記少なくとも２つの第１ユーザー機器の中の任意の２つの第１ユーザー機器の間の信号強度が第２予め設定された閾値より小さい又は等しいことである。
【００３７】
例えば、図２ｅに示すように、図２ｅは本願の実施例による他の複数の第１ユーザー機器に対応した指定されたリソース関連情報の模式図である。図２ｅに示すように、仮に複数の第１ユーザー機器は３つの第１ユーザー機器であり、この３つの第１ユーザー機器は、第１ユーザー機器１、第１ユーザー機器２及び第１ユーザー機器３である。第１ユーザー機器１と第１ユーザー機器２との間の信号強度はＡであり、第１ユーザー機器２と第１ユーザー機器３との間の信号強度はＢであり、第１ユーザー機器１と第１ユーザー機器３との間の信号強度はＣであり、仮にＡは第２予め設定された閾値より小さく、Ｂは第２予め設定された閾値より大きく、Ｃは第２予め設定された閾値より大きい。この場合、第１ユーザー機器１と第１ユーザー機器２に対応した指定されたリソース関連情報が同様であり、例えばいずれも指定されたリソース関連情報１であり、第１ユーザー機器２と第１ユーザー機器３に対応した指定されたリソース関連情報が異なり、第１ユーザー機器１と第１ユーザー機器３に対応した指定されたリソース関連情報が異なり、第１ユーザー機器３の指定されたリソース関連情報は指定されたリソース関連情報２であってよく、指定されたリソース関連情報１と指定されたリソース関連情報２は異なる。
【００３８】
更に、前記予め設定された条件は前記少なくとも２つの第１ユーザー機器の中の任意の２つの第１ユーザー機器が同じ地理的エリアに位置することである。
【００３９】
例えば、図２ｆに示すように、図２ｆは本願の実施例による他の複数の第１ユーザー機器に対応した指定されたリソース関連情報の模式図である。図２ｆに示すように、仮に複数の第１ユーザー機器は３つの第１ユーザー機器であり、この３つの第１ユーザー機器は、第１ユーザー機器１、第１ユーザー機器２及び第１ユーザー機器３である。第１ユーザー機器１と第１ユーザー機器２は同じ地理的エリア（図２ｆに示すような地理的エリアＡ）に位置し、第１ユーザー機器３は地理的エリアＢに位置すると、第１ユーザー機器１と第１ユーザー機器２に対応した指定されたリソース関連情報が同様であり（図２ｆに示すような指定されたリソース関連情報１）、第１ユーザー機器２と第１ユーザー機器３に対応した指定されたリソース関連情報が異なり、第１ユーザー機器１と第１ユーザー機器３に対応した指定されたリソース関連情報が異なり、第１ユーザー機器３の指定されたリソース関連情報は指定されたリソース関連情報２であってよく、指定されたリソース関連情報１と指定されたリソース関連情報２は異なる。地理的エリアＡと地理的エリアＢは地理的位置に従って事前に分割され、ネットワーク機器により分割されてもよいし、第２ユーザー機器により分割されてもよく、本願は制限しない。
【００４０】
説明する必要があるのは、第１ユーザー機器ｉと第１ユーザー機器ｊに対応した指定されたリソース関連情報が同様であることに指定されたのは第１ユーザー機器ｉに対応した複数の指定された時間が第１ユーザー機器ｊに対応した複数の指定された時間と同様であり、および／または第１ユーザー機器ｉに対応した複数の指定されたリソースが第１ユーザー機器ｊに対応した複数の指定されたリソースと同様であることである。第１ユーザー機器ｉと第１ユーザー機器ｊに対応した指定されたリソース関連情報は異なることに指定されたのは第１ユーザー機器ｉに対応した複数の指定された時間が第１ユーザー機器ｊに対応した複数の指定された時間と異なり、および／または第１ユーザー機器ｉに対応した複数の指定されたリソースが第１ユーザー機器ｊに対応した複数の指定されたリソースと異なることである。
【００４１】
一例において、前記第１ユーザー機器の指定されたリソース関連情報は前記第２ユーザー機器により設定された。具体的に、第２ユーザー機器はネットワーク機器が第２ユーザー機器のために割り当てたリソース状況に応じてユーザー機器グループ内の各第１ユーザー機器のそれぞれのために指定されたリソース関連情報を設定する。例えば、ユーザー機器グループ内に３つの第１ユーザー機器が含まれ、第２ユーザー機器は第１ユーザー機器１のために指定されたリソースＰＲＢ１を割り当て、複数の指定された時間の周期が１００ｍｓであり、第２ユーザー機器は第１ユーザー機器２のために指定されたリソースＰＲＢ２を割り当て、複数の指定された時間の周期は１００ｍｓであり、第２ユーザー機器は第１ユーザー機器３のために指定されたリソースＰＲＢ３を割り当て、複数の指定された時間の周期は１００ｍｓである。
【００４２】
一例において、前記第１ユーザー機器の指定されたリソース関連情報は前記ネットワーク機器により設定された。つまり、ネットワーク機器は直接に第１ユーザー機器のために指定されたリソース関連情報を設定する。
【００４３】
一例において、前記第１ユーザー機器の指定されたリソース関連情報は前記第１ユーザー機器により前記第１ユーザー機器のＩＤに従って確定される。つまり、第１ユーザー機器は自身のＩＤ（例えばＩＤ  Ｍｏｄｅ  Ｘのモード、Ｘが設定可能である）に従って自身の指定されたリソース情報を確定する。このＩＤは第２ユーザー機器或いはネットワーク機器により設定されることができる。例えば、例えば第１ユーザー機器ＩＤ  Ｍｏｄｅ  Ｘ  の後、残りが１であると、ＰＲＢ１＋設定周期１を使用し、残りが２であると、ＰＲＢ２＋設定周期２を使用し、以下、同様に設定する。上記の設定は予め設定されることができる。
【００４４】
一例において、前記第１ユーザー機器の指定されたリソース関連情報は前記第２ユーザー機器により設定される場合に、前記第２ユーザー機器が使用する指定されたリソース関連情報は前記ネットワーク機器により設定される。つまり、第１ユーザー機器の指定されたリソース関連情報は第２ユーザー機器により設定される場合に、第２ユーザー機器が第１ユーザー機器のために設定した指定されたリソース関連情報はネットワーク機器が第２ユーザー機器のために設定した指定されたリソース関連情報に基づいて設定されたものである。或いは、第１ユーザー機器の指定されたリソース関連情報は第２ユーザー機器により設定される場合に、第２ユーザー機器のデータを送受信するための指定されたリソース関連情報はネットワーク機器により設定されたものである。
【００４５】
一例において、前記指定されたリソース関連情報は指定された送信電力を更に含む。
【００４６】
具体的に、ユーザー機器グループ内のユーザー機器は場所に応じて送信電力を決定することができ、ユーザー機器ｉがグループ内のその他のユーザー機器に近いと、送信電力を小さくすることができ、ユーザー機器ｉがグループ内のその他のユーザー機器に遠いと、送信電力を大きくすることができる。
【００４７】
一例において、前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものである。
【００４８】
システム情報は例えばＳＩＢ２におけるＣｏｍｍｏｎ  Ｒｅｓｏｕｒｃｅ  Ｃｏｎｆｉｇｕｒａｔｉｏｎ等を有することができ、専用シグナリングは例えばＲＲＣ  Ｒｅｃｏｎｆｉｇｕｒａｔｉｏｎ等を有することができる。
【００４９】
具体的に、第２ユーザー機器がシステム情報または専用シグナリングによって第１ユーザー機器の指定されたリソース関連情報を設定する具体的な実施形態は、第２ユーザー機器が第１ユーザー機器にシステム情報または専用シグナリングを送信し、第１ユーザー機器の指定されたリソース関連情報がシステム情報または専用シグナリングに携えられること、及び第１ユーザー機器が第２ユーザー機器が送信したシステム情報または専用シグナリングを受信した後に、第１ユーザー機器の指定されたリソース関連情報を取得することができることがある。
【００５０】
具体的に、ネットワーク機器がシステム情報または専用シグナリングによって第１ユーザー機器の指定されたリソース関連情報を設定する具体的な実施形態は、ネットワーク機器が第２ユーザー機器にシステム情報または専用シグナリングを送信し、第１ユーザー機器の指定されたリソース関連情報がシステム情報または専用シグナリングに携えられること、及び第２ユーザー機器がネットワーク機器が送信したシステム情報または専用シグナリングを受信した後に、第２ユーザー機器がシステム情報または専用シグナリングに携えられた第１ユーザー機器の指定されたリソース関連情報を第１ユーザー機器に送信することがある。
【００５１】
一例において、前記第１ユーザー機器の指定されたリソース関連情報が前記第２ユーザー機器により設定され、或いは、前記第１ユーザー機器の指定されたリソース関連情報が前記ネットワーク機器により設定される場合に、前記第１ユーザー機器の指定されたリソース関連情報は前記第２ユーザー機器または前記ネットワーク機器により放送チャンネルによって放送される。
【００５２】
具体的に、第２ユーザー機器が放送チャンネルによって第１ユーザー機器の指定されたリソース関連情報を放送する具体的な実施形態は、第２ユーザー機器が第１ユーザー機器の指定されたリソース関連情報を放送チャンネル（物理放送チャンネル、ＰＢＣＨ）で放送し、第１ユーザー機器は放送チャンネルを監視することによって第１ユーザー機器の指定されたリソース関連情報を取得することができることがある。
【００５３】
具体的に、ネットワーク機器が放送チャンネルによって第１ユーザー機器の指定されたリソース関連情報を放送する具体的な実施形態は、ネットワーク機器が第１ユーザー機器の指定されたリソース関連情報を放送チャンネル（ＰＢＣＨ）で放送し、第２ユーザー機器は放送チャンネルを監視することによって第１ユーザー機器の指定されたリソース関連情報を取得した後に、第２ユーザー機器が監視された第１ユーザー機器の指定されたリソース関連情報を第１ユーザー機器に送信することがある。
【００５４】
一例において、前記第２ユーザー機器の指定されたリソース関連情報は前記ネットワーク機器により設定される。つまり、ネットワーク機器は直接に第２ユーザー機器のために指定されたリソース関連情報を設定する。
【００５５】
一例において、前記第２ユーザー機器の指定されたリソース関連情報は前記第２ユーザー機器により前記第２ユーザー機器のＩＤに従って確定される。つまり、第２ユーザー機器は自身のＩＤ（例えばＩＤ  Ｍｏｄｅ  Ｘのモード、Ｘが設定可能である）に従って自身の指定されたリソース情報を確定する。このＩＤは第２ユーザー機器或いはネットワーク機器により設定されることができる。例えば、例えば第２ユーザー機器ＩＤ  Ｍｏｄｅ  Ｘ  の後、残りが１であると、ＰＲＢ１＋設定周期１を使用する。上記の設定は事前に設定されることができる。
【００５６】
上記の図２ａに示すような実施例と一致して、図３を参照し、図３は本願の実施例によるユーザー機器の構造の模式図であり、通信システムに応用され、前記通信システムはユーザー機器グループを含み、前記ユーザー機器グループが複数のユーザー機器を含み、図に示すように、該ユーザー機器は１つまたは複数のプロセッサー、１つまたは複数のメモリ、１つまたは複数のトランシーバー及び１つまたは複数のプログラムを含み、前記１つまたは複数のプログラムが前記メモリに記憶され、且つ前記１つまたは複数のプロセッサーにより実行するように設定され、前記プログラムが以下のステップを実行するための命令を含み、
指定されたリソース関連情報に従ってデータの送受信を行い、前記指定されたリソース関連情報に複数の指定された時間および／または複数の指定されたリソースが含まれる。
【００５７】
一例において、前記複数のユーザー機器が複数の第１ユーザー機器および／または第２ユーザー機器を含み、前記第２ユーザー機器は前記ユーザー機器グループのグループヘッド機器であり、前記第２ユーザー機器は第１ユーザー機器と異なり、或いは、前記第２ユーザー機器は前記複数の第１ユーザー機器の中の１つである。
【００５８】
一例において、各第１ユーザー機器は１つの指定されたリソース関連情報に対応し、前記複数の第１ユーザー機器の中で予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中で前記予め設定された条件を満たさない少なくとも２つの第１ユーザー機器が存在する場合に、前記少なくとも２つの第１ユーザー機器に対応した指定されたリソース関連情報が異なる。
【００５９】
一例において、前記通信システムはネットワーク機器を更に含み、前記第１ユーザー機器の指定されたリソース関連情報は前記第２ユーザー機器により設定され、或いは、前記第１ユーザー機器の指定されたリソース関連情報は前記ネットワーク機器により設定され、或いは、前記第１ユーザー機器の指定されたリソース関連情報は前記第１ユーザー機器により前記第１ユーザー機器のＩＤに従って確定される。
【００６０】
一例において、前記指定されたリソース関連情報は指定された送信電力を更に含む。
【００６１】
一例において、前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものである。
【００６２】
一例において、前記第２ユーザー機器の指定されたリソース関連情報は前記ネットワーク機器により設定され、或いは、前記第２ユーザー機器の指定されたリソース関連情報は前記第２ユーザー機器により前記第２ユーザー機器のＩＤに従って確定されるものである。
【００６３】
一例において、前記第１ユーザー機器の指定されたリソース関連情報は前記第２ユーザー機器により設定される場合に、前記第２ユーザー機器が使用する指定されたリソース関連情報は前記ネットワーク機器により設定される。
【００６４】
一例において、前記複数の指定された時間における任意の２つの隣接する指定された時間の間隔が同様であり、各指定された時間に対応した複数の指定されたリソースが同様である。
【００６５】
これから見ると、本手段において、ユーザー機器グループ１２０におけるユーザー機器は、毎回データを送受信する前にリソーススケジューリングを実行する必要がないため、リソーススケジューリングのシグナリングオーバーヘッドが削減され、また、ユーザー機器グループにおける各ユーザー機器がデータの送受信を行うのは全て対応したリソース関連情報に従って行うため、グループ内のＵＥがリソースを占有する際の衝突確率を低下させる。
【００６６】
ユーザー機器は上記の機能を実現するために、各機能を実行する対応したハードウェア構造および／またはソフトウェアモジュールを含む。当業者は、本文に開示された実施例に記載の各例示のユニット及びアルゴリズムステップを組み合わせて、本願がハードウェアまたはハードウェアとコンピュータソフトウェアの組み合わせで実現することができるのを認識することができる。ある機能がハードウェアで実行するか、或いはコンピュータソフトウェアでハードウェアを駆動する方法によって実行するかは、技術案の特定のアプリケーションおよび設計制約条件によって決められる。当業者は各特定のアプリケーションに対して異なる方法で説明した機能を実現することができるが、このような実現は本願の範囲を超えないと考えられない。
【００６７】
本願の実施例は上記の方法例に従ってユーザー機器に対して機能ユニットの分割を行うことができ、例えば、各機能に対応して各機能ユニットを分割してもよいし、２つまたは２つ以上の機能を１つの処理ユニットに集積してもよい。上記集積されたユニットはハードウェアの形で実現されてもよいし、ソフトウェアプログラムモジュールの形で実現されもよい。説明する必要があるのは、本願の実施例においてユニットの分割は例示的なものであり、ロジック機能の分割だけであり、実際の実現時に別の分割方法ができる。
【００６８】
集積されたユニットまたはモジュールを使用する場合に、図４は上記実施例に関したユーザー機器の一可能な機能ユニットの組成ブロック図を示す。ユーザー機器４００は、処理ユニット４０１と通信ユニット４０２を含む。処理ユニット４０１はユーザー機器の動作を制御管理することに用いられ、例えば、処理ユニット４０１はユーザー機器が図２におけるステップ２０１および／または本文に記載の技術のその他の過程を実行するのをサポートすることに用いられる。通信ユニット４０２はユーザー機器とその他の機器との通信、例えば図１に示されたネットワーク機器とその他のグループ内のユーザー機器との間の通信をサポートすることに用いられる。ユーザー機器は記憶ユニット４０３を更に含んでよく、ユーザー機器のプログラムコードとデータを記憶することに用いられる。
【００６９】
処理ユニット４０１はプロセッサーまたはコントローラー、例えば中央プロセッサー（Ｃｅｎｔｒａｌ  Ｐｒｏｃｅｓｓｉｎｇ  Ｕｎｉｔ、ＣＰＵ）、汎用プロセッサー、デジタル信号プロセッサー（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いはその他のプログラマブルロジックデバイス、トランジスタ論理デバイス、ハードウェア部材或いはその他の任意の組み合わせであってよい。本願の開示内容を組み合わせて説明した様々な例示的な論理ボックス、モジュール及び回路を実現または実行することができる。前記プロセッサーは計算機能を実現する組み合わせ、例えば１つまたは複数のマイクロプロセッサを含む組み合わせ、ＤＳＰとマイクロプロセッサの組み合わせ等であってもよい。通信ユニット４０２はトランシーバー、トランシーバー回路、無線周波数チップ等であってよく、記憶ユニット４０３はメモリであってよい。
【００７０】
処理ユニット４０１はプロセッサーであり、通信ユニット４０２は通信インターフェースであり、記憶ユニット４０３はメモリである場合に、本願の実施例に関したユーザー機器は図３に示すようなユーザー機器であってよい。
【００７１】
本願の実施例は他のユーザー機器を更に提供し、図５に示すように、説明の便利のため、本願の実施例に関連する部分のみを示し、示されない具体的な技術的細部に対して、本願の実施例の方法部分を参照してよい。該ユーザー機器は携帯電話、タブレット、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売ターミナル）、カーコンピューター等の任意のユーザー機器であってよく、例として、ユーザー機器を携帯電話として使用し、
図５は本願の実施例によるユーザー機器に関連する携帯電話の部分構造のブロック図である。図５を参照して、携帯電話は、無線周波数（Ｒａｄｉｏ  Ｆｒｅｑｕｅｎｃｙ、ＲＦ）回路９１０、メモリ９２０、入力ユニット９３０、表示ユニット９４０、センサー９５０、オーディオ回路９６０、ワイヤレスフィデリティ（Ｗｉｒｅｌｅｓｓ  Ｆｉｄｅｌｉｔｙ、ＷｉＦｉ）モジュール９７０、プロセッサー９８０、及び電源９９０等の部材を含む。当業者は理解できるのは、図５に示した携帯電話構造は携帯電話を制限するためのものではなく、図面より多くまたは少ない部材を含み、或いはある部材を組み合わせ、或いは異なる部材の布置を有することができる。
【００７２】
以下、図５を組み合わせて携帯電話のそれぞれの構成部材を具体的に紹介し、
ＲＦ回路９１０は情報を受信と送信することに用いられることができる。一般的に、ＲＦ回路９１０はアンテナ、少なくとも１つのアンプ、トランシーバー、カプラー、低雑音アンプ（Ｌｏｗ  Ｎｏｉｓｅ  Ａｍｐｌｉｆｉｅｒ、ＬＮＡ）、デュプレクサ等を含むが、これらに制限されない。なお、ＲＦ回路９１０は無線通信によってネットワーク及びその他の機器と通信してもよい。上記の無線通信は任意の通信規格またはプロトコルを使用でき、グローバルなモバイル通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、一般的なパケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、長期的な進化（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）等を含むが、これらに制限されない。
【００７３】
メモリ９２０はソフトウェアプログラム及びモジュールを記憶することに用いられることができ、プロセッサー９８０はメモリ９２０に記憶されたソフトウェアプログラム及びモジュールを運転することによって、携帯電話の様々な機能アプリケーション及びデータ処理を実行する。メモリ９２０は主にプログラム記憶領域とデータ記憶領域を含んでよく、プログラム記憶領域に操作システム、少なくとも１つの機能に必要なアプリケーションプログラム等を記憶することができ、データ記憶領域に携帯電話の使用に応じて作成されたデータ等を記憶することができる。なお、メモリ９２０は高速ランダムアクセスメモリを含んでもよいし、不揮発性メモリ、例えば少なくとも１つのディスク記憶デバイス、フラッシュデバイス、またはその他の揮発性ソリッドステート記憶デバイスを含んでもよい。
【００７４】
入力ユニット９３０は入力した数または文字情報を受信し、及び携帯電話のユーザー設定及び機能制御に関連するキー信号入力を生成することに用いられることができる。具体的に、入力ユニット９３０は指紋認識モジュール９３１及びその他の入力機器９３２を含んでよい。指紋認識モジュール９３１は、その上でのユーザーの指紋データを収集することができる。指紋認識モジュール９３１に加え、入力ユニット９３０はその他の入力機器９３２を含んでもよい。具体的に、その他の入力機器９３２は、タッチスクリーン、物理キーボード、ファンクションキー（例えば音量調節ボタン、スイッチボタン等）、トラックボール、マウス、ジョイスティック等の中の１つまたは複数を含んでもよいが、これらに制限されない。
【００７５】
表示ユニット９４０はユーザーにより入力した情報、またはユーザーに提供する情報及び携帯電話の様々なメニューを表示することに用いられることができる。表示ユニット９４０はディスプレイ９４１を含んでよく、一実施例において、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形でディスプレイ９４１を設定することができる。図５では、指紋認識モジュール９３１とディスプレイ９４１は２つの独立した部材として携帯電話の入力と入力機能を実現したが、ある実施例において、指紋認識モジュール９３１とディスプレイ９４１を集積して携帯電話の入力と放送機能を実現することができる。
【００７６】
携帯電話は少なくとも１つのセンサー９５０、例えば光センサー、モーションセンサー及びその他のセンサーを更に含んでもよい。具体的に、光センサーは周囲光センサー及び近接センサーを含んでよく、周囲光センサーは周囲光の明るさに従ってディスプレイ９４１の明るさを調整することができ、近接センサーは携帯電話が耳に移動する際に、ディスプレイ９４１および／またはバックライトをオフにすることができる。モーションセンサーの１種として、加速度計センサーは各方向（一般的に３軸である）における加速度の大きさを検出することができ、静止している時、重力の大きさと方向を検出することができ、携帯電話ジェスチャーのアプリケーション（例えば水平および垂直画面切り替え、関連ゲーム、磁力計の姿勢較正）、振動認識に関連する機能（例えば歩数計、タップ）等を識別するために使用でき、ジャイロスコープ、気圧計、湿度計、温度計、赤外線センサーなど、携帯電話に構成できるセンサーに対して、ここで繰り返さない。
【００７７】
オーディオ回路９６０、スピーカー９６１、マイク９６２はユーザーと携帯電話との間のオーディオインターフェースを提供することができる。オーディオ回路９６０は受信したオーディオデータを変換した後の電気信号を、スピーカー９６１に伝送することができ、スピーカー９６１により声音信号に変換して再生し、他方で、マイク９６２は収集した声音信号を電気信号に変換して、オーディオ回路９６０により受信した後にオーディオデータに変換し、更にオーディオデータを放送してプロセッサー９８０により処理した後に、ＲＦ回路９１０によって例えば他の携帯電話に送信し、或いはオーディオデータをメモリ９２０に放送して、更なる処理を行うようにする。
【００７８】
ＷｉＦｉは短距離無線伝送技術に属し、携帯電話はＷｉＦｉモジュール９７０によってユーザーが電子メールを送受信し、ウェブを閲覧し及びストリーミングメディアをアクセスする等を助けることができ、ユーザーのために無線のブロードバンドインターネットアクセスを提供した。図５はＷｉＦｉモジュール９７０を示したが、理解できるのは、携帯電話の必要な構成に属しなく、必要に応じて発明の本質を変えない範囲で省略することができる。
【００７９】
プロセッサー９８０は携帯電話のコントロールセンターであり、様々なインターフェースと線路によって携帯電話全体の各部分を接続し、メモリ９２０に記憶されたソフトウェアプログラムおよび／またはモジュールを運転または実行し、及びメモリ９２０に記憶されたデータを呼び出すことによって、携帯電話の様々な機能を実行してデータを処理し、それにより携帯電話を全体的に監視する。一実施例において、プロセッサー９８０は１つまたは複数の処理ユニットを含んでよく、好ましくは、プロセッサー９８０にアプリケーションプロセッサーとモデムプロセッサーが集積されることができ、アプリケーションプロセッサーは主に操作システム、ユーザインターフェース及びアプリケーションプログラム等を処理し、モデムプロセッサーは主に無線通信を処理する。理解できるのは、上記モデムプロセッサーはプロセッサー９８０に集積されなくてもよい。
【００８０】
携帯電話は各部材のために給電する電源９９０（例えば電池）を更に含み、好ましくは、電源は電源管理システムによってプロセッサー９８０に論理接続されることができ、それにより電源管理システムによって充電、放電、及び電力管理等を管理する機能を実現する。
【００８１】
図示されないが、携帯電話はカメラ、ブルートゥースモジュールなどを更に含むことができ、ここで繰り返さない。
【００８２】
上記の図２に示すような実施例において、各ステップ方法におけるユーザー機器側のフローは該携帯電話の構造に基づいて実現することができる。
【００８３】
上記の図４に示すような実施例において、各ユニット機能は該携帯電話の構造に基づいて実現することができる。
【００８４】
本願の実施例はコンピュータ読み取り可能な記憶媒体を更に提供し、前記コンピュータ読み取り可能な記憶媒体は電子データ交換を行うためのコンピュータプログラムを記憶することに用いられ、前記コンピュータプログラムによってコンピュータに上記の方法実施例におけるユーザー機器に関する記載の一部または全部のステップを実行させる。
【００８５】
本願の実施例はコンピュータプログラム製品を更に提供し、前記コンピュータプログラム製品はコンピュータプログラムを記憶した非一時的なコンピュータ読み取り可能な記憶媒体を含み、前記コンピュータプログラムはコンピュータに上記方法におけるユーザー機器に関する記載の一部または全部のステップを実行させるように操作されることができる。該コンピュータプログラム製品は１つのソフトウェアインストールパッケージであってよい。
【００８６】
本願の実施例による方法或いはアルゴリズムのステップはハードウェアで実現してもよいし、プロセッサーによりソフトウェア命令を実行することで実現してもよい。ソフトウェア命令は対応したソフトウェアモジュールからなることができ、ソフトウェアモジュールはランダムアクセスメモリ（Ｒａｎｄｏｍ  Ａｃｃｅｓｓ  Ｍｅｍｏｒｙ、ＲＡＭ）、フラッシュメモリ、読み取り専用メモリ（Ｒｅａｄ  Ｏｎｌｙ  Ｍｅｍｏｒｙ、ＲＯＭ）、消去可能なプログラム可能な読み取り専用メモリ（Ｅｒａｓａｂｌｅ  Ｐｒｏｇｒａｍｍａｂｌｅ  ＲＯＭ、ＥＰＲＯＭ）、電気的に消去可能なプログラム可能な読み取り専用メモリ（Ｅｌｅｃｔｒｉｃａｌｌｙ  ＥＰＲＯＭ、ＥＥＰＲＯＭ）、レジスタ、ハードディスク、モバイルハードディスク、読み取り専用ＣＤ（ＣＤ−ＲＯＭ）或いは本分野で既知のその他の任意の形の記憶媒体に記憶されることができる。ある例示的な記憶媒体がプロセッサーにカップリングされ、それによりプロセッサーを該記憶媒体から情報を読み取らせることができ、且つ該記憶媒体に情報を書き込むことができる。無論、記憶媒体はプロセッサーの組成部分であってもよい。プロセッサーと記憶媒体はＡＳＩＣに位置することができる。また、該ＡＳＩＣはアクセスネットワーク機器、ターゲットネットワーク機器またはコアネットワーク機器に位置することができる。無論、プロセッサーと記憶媒体は離散コンポーネントとしてアクセスネットワーク機器、ターゲットネットワーク機器またはコアネットワーク機器に存在してもよい。
【００８７】
当業者は認識することができるのは、上記の１つまたは複数の例において、本願の実施例に記載の機能は全部または一部的にソフトウェア、ハードウェア、ファームウェア或いはその任意の組み合わせによって実現することができる。ソフトウェアで実現する際に、全部または一部的にコンピュータプログラム製品の形で実現することができる。前記コンピュータプログラム製品は１つまたは複数のコンピュータ命令を含む。コンピュータに前記コンピュータプログラム命令をロードと実行する場合に、全部または一部的に本願の実施例に記載のフローまたは機能を生成する。前記コンピュータは汎用コンピュータ、専用コンピュータ、コンピュータネットワーク、或いはその他のプログラマブル装置であってよい。前記コンピュータ命令はコンピュータ読み取り可能な記憶媒体に記憶され、或いは１つのコンピュータ読み取り可能な記憶媒体から他のコンピュータ読み取り可能な記憶媒体に伝送されることができ、例えば、前記コンピュータ命令は１つのウェブサイトサイト、コンピュータ、サーバーまたはデータセンターから有線（例えば同軸ケーブル、光ファイバー、デジタル加入者線（Ｄｉｇｉｔａｌ  Ｓｕｂｓｃｒｉｂｅｒ  Ｌｉｎｅ、ＤＳＬ））または無線（例えば赤外線、ワイヤレス、マイクロ波等）の方法によって他のウェブサイトサイト、コンピュータ、サーバーまたはデータセンターに伝送されることができる。前記コンピュータ読み取り可能な記憶媒体はコンピュータがアクセスできる任意の利用可能なメディアであってよく或いは１つまたは複数の利用可能なメディアにより集積されたサーバー、データセンター等を含んだデータ記憶機器である。前記利用可能なメディアは磁気媒体（例えば、フロッピーディスク、ハードディスク、テープ）、光学媒体（例えば、デジタルビデオディスク（Ｄｉｇｉｔａｌ  Ｖｉｄｅｏ  Ｄｉｓｃ、ＤＶＤ））、或いは半導体媒体（例えば、ソリッドステートディスク（Ｓｏｌｉｄ  Ｓｔａｔｅ  Ｄｉｓｋ、ＳＳＤ））等であってよい。
【００８８】
以上のような具体的な実施形態によって、本願の実施例の目的、技術的解決手段及び有益な効果を更に詳細的に説明し、理解すべきなのは、以上のものは本願の実施例の具体的な実施形態だけであり、本願の実施例の保護範囲を制限するためのものではなく、本願の実施例の技術的解決手段の上で、行ったいずれの修正、等価置換、改善等は、本願の実施例の保護範囲に含まれるべきである。
【手続補正２】
【補正対象書類名】特許請求の範囲
【補正対象項目名】全文
【補正方法】変更
【補正の内容】
【特許請求の範囲】
【請求項１】
データの送受信方法であって、通信システムに応用され、前記通信システムはユーザー機器グループを含み、前記ユーザー機器グループが複数のユーザー機器を含み、
前記ユーザー機器は指定されたリソース関連情報に従ってデータの送受信を行い、前記指定されたリソース関連情報に複数の指定された時間および／または複数の指定されたリソースが含まれるステップを含むことを特徴とするデータの送受信方法。
【請求項２】
前記複数のユーザー機器が複数の第１ユーザー機器および／または第２ユーザー機器を含み、前記第２ユーザー機器は前記ユーザー機器グループのグループヘッド機器であり、前記第２ユーザー機器が第１ユーザー機器と異なり、或いは、前記第２ユーザー機器が前記複数の第１ユーザー機器の中の１つであることを特徴とする請求項１に記載の方法。
【請求項３】
各第１ユーザー機器は１つの指定されたリソース関連情報に対応し、前記複数の第１ユーザー機器の中で予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中で前記予め設定された条件を満たさない少なくとも２つの第１ユーザー機器が存在する場合に、前記少なくとも２つの第１ユーザー機器に対応した指定されたリソース関連情報が異なることを特徴とする請求項２に記載の方法。
【請求項４】
前記通信システムはネットワーク機器を更に含み、前記第１ユーザー機器の指定されたリソース関連情報は前記第２ユーザー機器により設定され、或いは、前記第１ユーザー機器の指定されたリソース関連情報は前記ネットワーク機器により設定され、或いは、前記第１ユーザー機器の指定されたリソース関連情報は前記第１ユーザー機器により前記第１ユーザー機器のアイデンティティＩＤに従って確定されることを特徴とする請求項２または３のいずれかに記載の方法。
【請求項５】
前記指定されたリソース関連情報は指定された送信電力を更に含むことを特徴とする請求項１−４のいずれかに記載の方法。
【請求項６】
ユーザー機器であって、通信システムに応用され、前記通信システムはユーザー機器グループを含み、前記ユーザー機器グループが複数のユーザー機器を含み、前記ユーザー機器が前記複数のユーザー機器に含まれ、前記ユーザー機器は１つまたは複数のプロセッサー、１つまたは複数のメモリ、１つまたは複数のトランシーバー、及び１つまたは複数のプログラムを含み、前記１つまたは複数のプログラムが前記メモリに記憶され、且つ前記１つまたは複数のプロセッサーにより実行するように設定され、前記プログラムが以下のステップを実行するための命令を含み、
指定されたリソース関連情報に従ってデータの送受信を行い、前記指定されたリソース関連情報に複数の指定された時間および／または複数の指定されたリソースが含まれることを特徴とするユーザー機器。
【請求項７】
前記複数のユーザー機器が複数の第１ユーザー機器および／または第２ユーザー機器を含み、前記第２ユーザー機器は前記ユーザー機器グループのグループヘッド機器であり、前記第２ユーザー機器が第１ユーザー機器と異なり、或いは、前記第２ユーザー機器が前記複数の第１ユーザー機器の中の１つであることを特徴とする請求項６に記載のユーザー機器。
【請求項８】
各第１ユーザー機器は１つの指定されたリソース関連情報に対応し、前記複数の第１ユーザー機器の中で予め設定された条件を満たす少なくとも２つの第１ユーザー機器が存在する場合に、前記少なくとも２つの第１ユーザー機器に対応した指定されたリソース関連情報が同様であり、前記複数の第１ユーザー機器の中で前記予め設定された条件を満たさない少なくとも２つの第１ユーザー機器が存在する場合に、前記少なくとも２つの第１ユーザー機器に対応した指定されたリソース関連情報が異なることを特徴とする請求項６または７に記載のユーザー機器。
【請求項９】
前記通信システムはネットワーク機器を更に含み、前記第１ユーザー機器の指定されたリソース関連情報は前記第２ユーザー機器により設定され、或いは、前記第１ユーザー機器の指定されたリソース関連情報は前記ネットワーク機器により設定され、或いは、前記第１ユーザー機器の指定されたリソース関連情報は前記第１ユーザー機器により前記第１ユーザー機器のアイデンティティＩＤに従って確定されることを特徴とする請求項７または８に記載のユーザー機器。
【請求項１０】
前記第１ユーザー機器の指定されたリソース関連情報は前記第２ユーザー機器により設定され、或いは、前記第１ユーザー機器の指定されたリソース関連情報は前記ネットワーク機器により設定される場合に、前記第１ユーザー機器の指定されたリソース関連情報は前記第２ユーザー機器または前記ネットワーク機器がシステム情報または専用シグナリングによって設定したものであることを特徴とする請求項９に記載のユーザー機器。
【請求項１１】
前記第２ユーザー機器の指定されたリソース関連情報は前記ネットワーク機器により設定され、或いは、前記第２ユーザー機器の指定されたリソース関連情報は前記第２ユーザー機器により前記第２ユーザー機器のＩＤに従って確定されたものであることを特徴とする請求項７−１０のいずれかに記載のユーザー機器。
【請求項１２】
前記複数の指定された時間における任意の２つの隣接する指定された時間の間隔が同様であり、各指定された時間に対応した複数の指定されたリソースが同様であり、又は
前記複数の指定された時間における任意の２つの隣接する指定された時間の間隔が異なり、各指定された時間に対応した複数の指定されたリソースが異なることを特徴とする請求項６または７に記載のユーザー機器。
【請求項１３】
前記予め設定された条件は前記少なくとも２つの第１ユーザー機器の中の任意の２つの第１ユーザー機器の間の距離が第１予め設定された閾値より大きいまたは等しいことであり、又は
前記予め設定された条件は前記少なくとも２つの第１ユーザー機器の中の任意の２つの第１ユーザー機器の間の信号強度が第２予め設定された閾値より小さい又は等しいことであり、又は
前記予め設定された条件は前記少なくとも２つの第１ユーザー機器の中の任意の２つの第１ユーザー機器が同じ地理的エリアに位置することであることを特徴とする請求項８に記載のユーザー機器。
【請求項１４】
コンピュータ読み取り可能な記憶媒体であって、電子データ交換を行うためのコンピュータプログラムを記憶し、前記コンピュータプログラムによってコンピュータに請求項１−５のいずれかに記載の方法を実行させることを特徴とするコンピュータ読み取り可能な記憶媒体。
【請求項１５】
コンピュータプログラム製品であって、前記コンピュータプログラム製品はコンピュータプログラムを記憶した非一時的なコンピュータ読み取り可能な記憶媒体を含み、前記コンピュータプログラムはコンピュータに請求項１−５のいずれかに記載の方法を実行させるように操作されることができることを特徴とするコンピュータプログラム製品。
【国際調査報告】
2020519183.tif 000013
2020519183.tif 000014
2020519183.tif 000015
2020519183.tif 000016